(57)【特許請求の範囲】
【請求項１】
第１の通信デバイスにおいて、第２の通信デバイスによって前記第１の通信デバイスと前記第２の通信デバイスとの間の通信チャネルに関連するチャネル品質インジケータ（ＣＱＩ）を計算する場合に利用されるべき干渉共分散計算技術を選択する段階であって、前記干渉共分散計算技術が、干渉共分散を計算するための複数の技術のセットから選択される段階であって、前記複数の技術のセットが、ｉ）干渉者としてみなされる１つ又は複数のトランスミッタの異なるセットに対応する異なる技術と、ｉｉ）クラスタにおけるどのトランスミッタも干渉者としてみなされない干渉共分散計算技術とを含む、段階と、
前記第１の通信デバイスで、前記選択された干渉共分散計算技術の指標を前記第２の通信デバイスに送信する段階と、
第１の通信デバイスにおいて、前記選択された干渉共分散計算技術に従って前記第２の通信デバイスによって計算されたＣＱＩを受信する段階と
を備える方法。
【請求項２】
前記干渉共分散計算技術を選択する段階は、
前記第１の通信デバイスにおいて、干渉共分散を計算する場合に前記第２の通信デバイスによって利用されるべき式を選択する段階
を備え、
前記式は、複数の式のセットから選択される
請求項１に記載の方法。
【請求項３】
複数の式の前記セットは、
前記クラスタにおいて干渉者としてみなされるトランスミッタ無しに対応する第１の式と、
前記クラスタにおいて干渉者としてみなされる１つ又は複数のトランスミッタのセットに対応する第２の式と
を含む請求項１又は２に記載の方法。
【請求項４】
前記干渉共分散計算技術を選択する段階は、
前記第１の通信デバイスにおいて、干渉共分散を計算する場合に干渉者とみなされる１つ又は複数のトランスミッタのセットを選択する段階
を備える請求項１から３のいずれか１項に記載の方法。
【請求項５】
前記第１の通信デバイスにおいて、前記第１の通信デバイスと前記第２の通信デバイスとの間の前記通信チャネルに関連する前記ＣＱＩを計算する場合に前記第２の通信デバイスによって利用されるべきＣＱＩ計算技術を選択する段階と、
前記第１の通信デバイスで、前記選択されたＣＱＩ計算技術の指標を前記第２の通信デバイスに送信する段階と
をさらに備え、
前記ＣＱＩ計算技術は、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩのための複数の技術のセットから選択され、
前記受信された、前記第２の通信デバイスによって計算されたＣＱＩは、前記選択されたＣＱＩ計算技術に従う
請求項１から４のいずれか１項に記載の方法。
【請求項６】
第１の通信デバイスであって、
第２の通信デバイスによって前記第１の通信デバイスと前記第２の通信デバイスとの間の通信チャネルに関連するチャネル品質インジケータ（ＣＱＩ）を計算する場合に利用されるべき干渉共分散計算技術を選択し、
前記第１の通信デバイスに、前記選択された干渉共分散計算技術の指標を前記第２の通信デバイスへ送信させ、
前記送信された前記選択された干渉共分散計算技術の指標に応じて前記第２の通信デバイスから受信したＣＱＩを処理する、
ネットワークインタフェースデバイス
を備え、
前記干渉共分散計算技術が、干渉共分散を計算するための複数の技術のセットから選択され、前記複数の技術のセットが、ｉ）干渉者としてみなされる１つ又は複数のトランスミッタの異なるセットに対応する異なる技術と、ｉｉ）クラスタにおけるどのトランスミッタも干渉者としてみなされない干渉共分散計算技術とを含み、
前記ＣＱＩは、前記第２の通信デバイスによって、前記選択された干渉共分散計算技術に従って計算される
第１の通信デバイス。
【請求項７】
前記ネットワークインタフェースデバイスは、干渉共分散を計算する場合に前記第２の通信デバイスによって利用されるべき式を少なくとも選択することによって、干渉共分散計算技術を選択し、
前記式は、複数の式のセットから選択される
請求項６に記載の第１の通信デバイス。
【請求項８】
複数の式の前記セットは、
前記クラスタにおいて干渉者としてみなされるトランスミッタ無しに対応する第１の式と、
前記クラスタにおいて干渉者としてみなされる１つ又は複数のトランスミッタのセットに対応する第２の式と
を含む請求項６又は７に記載の第１の通信デバイス。
【請求項９】
前記ネットワークインタフェースデバイスは、干渉共分散を計算する場合に干渉者とみなされる１つ又は複数のトランスミッタのセットを少なくとも選択することによって、干渉共分散計算技術を選択する
請求項６から８のいずれか１項に記載の第１の通信デバイス。
【請求項１０】
前記ネットワークインタフェースデバイスは、
前記第１の通信デバイスと前記第２の通信デバイスとの間の前記通信チャネルに関連する前記ＣＱＩを計算する場合に前記第２の通信デバイスによって利用されるべきＣＱＩ計算技術を選択し、
前記第１の通信デバイスに、前記選択されたＣＱＩ計算技術の指標を前記第２の通信デバイスへ送信させ、
前記ＣＱＩ計算技術は、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩのための複数の技術のセットから選択され、
前記受信された、前記第２の通信デバイスによって計算されたＣＱＩは、前記選択されたＣＱＩ計算技術に従う
請求項６から９のいずれか１項に記載の第１の通信デバイス。
【請求項１１】
第１の通信デバイスにおいて、複数の干渉共分散計算技術に従って、前記第１の通信デバイスと第２の通信デバイスとの間の通信チャネルに関連する複数の干渉共分散を計算する段階であって、前記複数の干渉共分散計算技術が、ｉ）クラスタにおけるどのトランスミッタも干渉者としてみなされない第１の干渉共分散計算技術と、ｉｉ）前記クラスタにおける１つ又は複数のトランスミッタのセットが干渉者としてみなされる第２の干渉共分散計算技術とを含む、段階と、
前記第１の通信デバイスにおいて、前記複数の干渉共分散における１つ又は複数の干渉共分散のサブセットを選択する段階と、
前記第１の通信デバイスにおいて、１つ又は複数の干渉共分散の前記サブセットを用いて、１つ又は複数のそれぞれのチャネル品質インジケータ（ＣＱＩ）のセットを計算する段階と、
１つ又は複数のＣＱＩの前記セットを、前記第１の通信デバイスから前記第２の通信デバイスに送信する段階と、
１つ又は複数のＣＱＩの前記セットを計算するために利用された１つ又は複数のそれぞれの干渉共分散計算技術の１つ又は複数のインジケータのセットを、前記第１の通信デバイスから前記第２の通信デバイスに送信する段階と
を備える方法。
【請求項１２】
前記第１の干渉共分散計算技術が、前記クラスタにおいて干渉者としてみなされるトランスミッタ無しに対応する第１の式を利用し、
前記第２の干渉共分散計算技術が、前記クラスタにおいて干渉者としてみなされる前記１つ又は複数のトランスミッタのセットに対応する第２の式を利用する
請求項１１に記載の方法。
【請求項１３】
前記第２の干渉共分散計算技術が、第３の通信デバイスを干渉者としてみなし、
前記第１の干渉共分散計算技術が、前記第３の通信デバイスを干渉者としてみなさない
請求項１１又は１２に記載の方法。
【請求項１４】
１つ又は複数の干渉共分散の前記サブセットを用いて、１つ又は複数のそれぞれのＣＱＩの前記セットを計算する段階は、
１つ又は複数のＣＱＩの前記セットを、選択されたＣＱＩ計算技術に従って計算する段階
を備え、
前記選択されたＣＱＩ計算技術は、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩのための複数の技術のセットから選択され、
前記方法は、
前記選択されたＣＱＩ計算技術の指標を、前記第１の通信デバイスから前記第２の通信デバイスに送信する段階
をさらに備える請求項１１から１３のいずれか１項に記載の方法。
【請求項１５】
前記複数の干渉共分散における１つ又は複数の干渉共分散の前記サブセットを選択する段階は、
他の複数の干渉共分散に対応する他の複数の干渉仮定に比べて、より高いスペクトル効率をもたらす１つ又は複数のそれぞれの干渉仮定に対応する１つ又は複数の干渉共分散を選択する段階
を備える請求項１１から１４のいずれか１項に記載の方法。
【請求項１６】
第１の通信デバイスであって、
複数の干渉共分散計算技術に従って、前記第１の通信デバイスと第２の通信デバイスとの間の通信チャネルに関連する複数の干渉共分散を計算し、前記複数の干渉共分散計算技術が、ｉ）クラスタにおけるどのトランスミッタも干渉者としてみなされない第１の干渉共分散計算技術と、ｉｉ）前記クラスタにおける１つ又は複数のトランスミッタのセットが干渉者としてみなされる第２の干渉共分散計算技術と、を含み、
前記複数の干渉共分散における１つ又は複数の干渉共分散のサブセットを選択し、
１つ又は複数の干渉共分散の前記サブセットを用いて、１つ又は複数のそれぞれのチャネル品質インジケータ（ＣＱＩ）のセットを計算し、
前記第１の通信デバイスに、１つ又は複数のＣＱＩの前記セットを前記第２の通信デバイスへ送信させ、
前記第１の通信デバイスに、１つ又は複数のＣＱＩの前記セットを計算するために利用された１つ又は複数のそれぞれの干渉共分散計算技術の１つ又は複数のインジケータのセットを、前記第２の通信デバイスへ送信させる、
ネットワークインタフェースデバイス
を備える第１の通信デバイス。
【請求項１７】
前記第１の干渉共分散計算技術は、前記クラスタにおいて干渉者としてみなされるトランスミッタ無しに対応する第１の式を利用し、
前記第２の干渉共分散計算技術は、前記クラスタにおいて干渉者としてみなされる前記１つ又は複数のトランスミッタのセットに対応する第２の式を利用する
請求項１６に記載の第１の通信デバイス。
【請求項１８】
前記第２の干渉共分散計算技術は、第３の通信デバイスを干渉者としてみなし、
前記第１の干渉共分散計算技術は、前記第３の通信デバイスを干渉者としてみなさない請求項１６又は１７に記載の第１の通信デバイス。
【請求項１９】
前記ネットワークインタフェースデバイスは、
少なくとも、選択されたＣＱＩ計算技術に従って１つ又は複数のＣＱＩの前記セットを計算することによって、１つ又は複数のそれぞれのＣＱＩの前記セットを計算し、
前記第１の通信デバイスに、前記選択されたＣＱＩ計算技術の指標を前記第２の通信デバイスへ送信させ、
前記選択されたＣＱＩ計算技術が、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩのための複数の技術のセットから選択される
請求項１６から１８のいずれか１項に記載の第１の通信デバイス。
【請求項２０】
前記ネットワークインタフェースデバイスは、少なくとも、他の複数の干渉共分散に対応する他の複数の干渉仮定に比べて、より高いスペクトル効率をもたらす１つ又は複数のそれぞれの干渉仮定に対応する１つ又は複数の干渉共分散を選択することによって、前記複数の干渉共分散における１つ又は複数の干渉共分散の前記サブセットを選択する
請求項１６から１９のいずれか１項に記載の第１の通信デバイス。
【請求項２１】
前記ネットワークインタフェースデバイスは、少なくとも、他の複数の干渉共分散に対応する他の複数の干渉仮定に比べて最大のスペクトル効率に対応する干渉共分散を選択することによって、前記複数の干渉共分散における１つ又は複数の干渉共分散の前記サブセットを選択する
請求項２０に記載の第１の通信デバイス。
【請求項２２】
第１の通信デバイスにおいて、第２の通信デバイスから、選択された干渉共分散計算技術の指標を受信する段階であって、前記選択された干渉共分散計算技術が、前記第２の通信デバイスによって、干渉共分散を計算するための複数の技術のセットから選択され、干渉共分散を計算するための複数の技術の前記セットが、ｉ）クラスタにおけるどのトランスミッタも干渉者としてみなされない第１の干渉共分散計算技術と、ｉｉ）前記クラスタにおける１つ又は複数のトランスミッタのセットが干渉者としてみなされる第２の干渉共分散計算技術とを含む、段階と、
前記第１の通信デバイスにおいて、前記受信された指標に基づいて干渉共分散を計算する場合に干渉共分散を計算するための複数の技術の前記セットからのどの干渉共分散計算技術を用いるかを決定する段階であって、前記干渉共分散が、前記第１の通信デバイスと前記第２の通信デバイスとの間の通信チャネルに関連する段階と、
前記第１の通信デバイスにおいて、前記決定された干渉共分散計算技術を用いて、前記干渉共分散を計算する段階と、
前記第１の通信デバイスにおいて、前記計算された干渉共分散を用いて、チャネル品質インジケータ（ＣＱＩ）を計算する段階であって、前記ＣＱＩが、前記第１の通信デバイスと前記第２の通信デバイスとの間の前記通信チャネルに関連する段階と、
前記第１の通信デバイスで、前記ＣＱＩを前記第２の通信デバイスに送信する段階と
を備える方法。
【請求項２３】
どの干渉共分散計算技術を用いるかを決定する段階は、
前記第１の通信デバイスにおいて、前記受信された指標に基づいて複数の式の選択肢のセットからの利用されるべき式を決定する段階
を備える請求項２２に記載の方法。
【請求項２４】
複数の式の選択肢の前記セットは、
前記クラスタにおいて干渉者としてみなされるトランスミッタ無しに対応する第１の式と、
前記クラスタにおいて干渉者としてみなされる１つ又は複数のトランスミッタのセットに対応する第２の式と
を含む請求項２３に記載の方法。
【請求項２５】
どの干渉共分散計算技術を用いるかを決定する段階は、
前記第１の通信デバイスにおいて、干渉共分散を計算する場合に干渉者とみなされる１つ又は複数のトランスミッタのセットを決定する段階
を備える請求項２２から２４のいずれか１項に記載の方法。
【請求項２６】
前記第１の通信デバイスで、前記ＣＱＩを計算する場合に前記第１の通信デバイスによって利用されるべき選択されたＣＱＩ計算技術の指標を受信する段階
をさらに備え、
前記ＣＱＩ計算技術は、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩのための複数の技術のセットから、前記第２の通信デバイスによって選択されており、
前記ＣＱＩを計算する段階は、
前記選択されたＣＱＩ計算技術を用いて前記ＣＱＩを計算する段階
を備える請求項２２から２５のいずれか１項に記載の方法。
【請求項２７】
第１の通信デバイスであって、
第２の通信デバイスから受信された、選択された干渉共分散計算技術の指標に基づいて、干渉共分散を計算する場合に干渉共分散を計算するための複数の技術のセットからのどの干渉共分散計算技術を用いるかを決定し、
前記決定された干渉共分散計算技術を用いて、前記干渉共分散を計算し、
前記計算された干渉共分散を用いて、チャネル品質インジケータ（ＣＱＩ）を計算し、
前記第１の通信デバイスに、前記ＣＱＩを前記第２の通信デバイスへ送信させる、
ネットワークインタフェースデバイス
を備え、
前記選択された干渉共分散計算技術が、前記第２の通信デバイスによって、干渉共分散を計算するための複数の技術のセットから選択されており、前記干渉共分散が、前記第１の通信デバイスと前記第２の通信デバイスとの間の通信チャネルに関連し、干渉共分散を計算するための複数の技術の前記セットが、ｉ）クラスタにおけるどのトランスミッタも干渉者としてみなされない第１の干渉共分散計算技術と、ｉｉ）前記クラスタにおける１つ又は複数のトランスミッタのセットが干渉者としてみなされる第２の干渉共分散計算技術とを含み、
前記ＣＱＩが、前記第１の通信デバイスと前記第２の通信デバイスとの間の前記通信チャネルに関連する
第１の通信デバイス。
【請求項２８】
前記ネットワークインタフェースデバイスは、少なくとも、前記受信された指標に基づいて複数の式の選択肢のセットからの利用されるべき式を決定することによって、どの干渉共分散計算技術を用いるかを決定する
請求項２７に記載の第１の通信デバイス。
【請求項２９】
複数の式の選択肢の前記セットは、
前記クラスタにおいて干渉者としてみなされるトランスミッタ無しに対応する第１の式と、
前記クラスタにおいて干渉者としてみなされる１つ又は複数のトランスミッタのセットに対応する第２の式と
を含む請求項２８に記載の第１の通信デバイス。
【請求項３０】
前記ネットワークインタフェースデバイスは、少なくとも、干渉共分散を計算する場合に干渉者とみなされる１つ又は複数のトランスミッタのセットを決定することによって、どの干渉共分散計算技術を用いるかを決定する
請求項２７から２９のいずれか１項に記載の第１の通信デバイス。
【請求項３１】
前記ネットワークインタフェースデバイスは、
選択されたＣＱＩ計算技術の受信された指標に基づいて、用いるＣＱＩ計算技術を決定し、
前記決定されたＣＱＩ計算技術を用いて前記ＣＱＩを計算し、
前記選択されたＣＱＩ計算技術が、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩの計算のための複数の技術のセットから、前記第２の通信デバイスによって選択されている
請求項２７から３０のいずれか１項に記載の第１の通信デバイス。
【請求項３２】
第１の通信デバイスにおいて、第２の通信デバイスから送信されたチャネル品質インジケータ（ＣＱＩ）を受信する段階であって、前記ＣＱＩが、前記第２の通信デバイスによって計算されており、前記ＣＱＩが、前記第１の通信デバイスと前記第２の通信デバイスとの間の通信チャネルに関連する段階と、
前記第１の通信デバイスにおいて、前記第２の通信デバイスから送信された、前記ＣＱＩを計算するために前記第２の通信デバイスによって利用された干渉共分散計算技術の指標を受信する段階と、
前記第１の通信デバイスにおいて、前記受信された前記干渉共分散計算技術の指標に基づいて、複数の干渉共分散計算技術の選択肢からのどの干渉共分散計算技術が前記第２の通信デバイスによって利用されたかを決定する段階であって、前記複数の干渉共分散計算技術の選択肢が、ｉ）干渉者としてみなされる１つ又は複数のトランスミッタの異なるセットに対応する異なる技術と、ｉｉ）クラスタにおけるどのトランスミッタも干渉者としてみなされない干渉共分散計算技術とを含む、段階と、
前記第１の通信デバイスにおいて、前記第２の通信デバイスによって利用された前記干渉共分散計算技術の前記決定に基づいて、前記ＣＱＩを処理する段階と
を備える方法。
【請求項３３】
どの干渉共分散計算技術が利用されたかを決定する段階は、
複数の式の選択肢のセットから、前記第２の通信デバイスによってどの式が利用されたかを決定する段階
を備える請求項３２に記載の方法。
【請求項３４】
複数の式の選択肢の前記セットは、
前記クラスタにおいて干渉者としてみなされるトランスミッタ無しに対応する第１の式と、
前記クラスタにおいて干渉者としてみなされる１つ又は複数のトランスミッタのセットに対応する第２の式と
を含む請求項３３に記載の方法。
【請求項３５】
どの干渉共分散計算技術が利用されたかを決定する段階は、
前記第１の通信デバイスにおいて、干渉共分散を計算する場合に干渉者とみなされる１つ又は複数のトランスミッタのセットを決定する段階
を備える請求項３２から３４のいずれか１項に記載の方法。
【請求項３６】
第１の通信デバイスであって、
第２の通信デバイスから送信されたチャネル品質インジケータ（ＣＱＩ）を受信し、
前記第２の通信デバイスから送信された、前記ＣＱＩを計算するために前記第２の通信デバイスによって利用された干渉共分散計算技術の指標を受信し、
前記受信された前記干渉共分散計算技術の指標に基づいて、複数の干渉共分散計算技術の選択肢からのどの干渉共分散計算技術が前記第２の通信デバイスによって利用されたかを決定し、前記複数の干渉共分散計算技術の選択肢が、ｉ）干渉者としてみなされる１つ又は複数のトランスミッタの異なるセットに対応する異なる技術と、ｉｉ）クラスタにおけるどのトランスミッタも干渉者としてみなされない干渉共分散計算技術とを含み、
前記第２の通信デバイスによって利用された前記干渉共分散計算技術の前記決定に基づいて、前記ＣＱＩを処理する、
ネットワークインタフェースデバイス
を備え、
前記ＣＱＩが、前記第２の通信デバイスによって計算されており、前記ＣＱＩが、前記第１の通信デバイスと前記第２の通信デバイスとの間の通信チャネルに関連する
第１の通信デバイス。
【請求項３７】
前記ネットワークインタフェースデバイスは、少なくとも、複数の式の選択肢のセットから、前記第２の通信デバイスによってどの式が利用されたかを決定することによって、どの干渉共分散計算技術が利用されたかを決定する
請求項３６に記載の第１の通信デバイス。
【請求項３８】
複数の式の選択肢の前記セットは、
前記クラスタにおいて干渉者としてみなされるトランスミッタ無しに対応する第１の式と、
前記クラスタにおいて干渉者としてみなされる１つ又は複数のトランスミッタのセットに対応する第２の式と
を含む請求項３７に記載の第１の通信デバイス。
【請求項３９】
前記ネットワークインタフェースデバイスは、少なくとも、干渉共分散を計算する場合に干渉者とみなされる１つ又は複数のトランスミッタのセットを決定することによって、どの干渉共分散計算技術が利用されたかを決定する
請求項３６から３８のいずれか１項に記載の第１の通信デバイス。
【発明の詳細な説明】
【技術分野】
【０００１】
関連出願の相互参照
この開示は、２０１２年５月１７日に出願されたタイトル「ＣＯＭＰのためのＣＱＩ計算方法」の米国仮特許出願第６１／６４８，１７３の利益を請求し、その全体が参照により本明細書に組み込まれる。
【０００２】
本開示は、一般的に、無線通信に関する。より具体的には、無線通信チャネルの特定を測定することに関する。
【背景技術】
【０００３】
いくつかの多入力多出力（ＭＩＭＯ）通信システムは、複数の基地局がビームフォーミング及びプリコーディングの決定を互いに共同して行う協調的な送信方式を用いる。協調送信はまた、協調ビームフォーミング又は協調マルチポイント（Ｃｏｏｒｄｉｎａｔｅｄ  Ｍｕｌｔｉｐｏｉｎｔ）（ＣｏＭＰ）と称される。協調送信は、例えば、第３世代パートナーシップ・プロジェクト（３ＧＰＰ）によって規定された、ロングタームエボリューション（ＬＴＥ）と称されもする進化型ユニバーサル地上無線アクセス（Ｅ−ＵＴＲＡ）システムのために考えられた。ＬＴＥのための協調ビームフォーミングは、例えば、３ＧＰＰ技術仕様グループ（ＴＳＧ）の無線アクセスネットワーク（ＲＡＮ）の「ＬＴＥ  Ｓｐｅｃｔｒａｌ  Ｅｆｆｉｃｉｅｎｃｙ  ａｎｄ  ＩＭＴ−Ａｄｖａｎｃｅｄ  Ｒｅｑｕｉｒｅｍｅｎｔｓ」のタイトルの文書Ｒ１−０９３４８８（２００９年８月２４日〜２８日、中国・深セン）に記述されており、それは参照により本明細書に組み込まれる。
【０００４】
複数の協調送信方式は多くの場合、複数の移動端末から複数の基地局に送り返される、複数の通信チャネルに関するフィードバックを用いる。協調送信のためのフィードバック方式の例は、３ＧＰＰ  ＴＳＧ  ＲＡＮの「ＣｏＭＰ  Ｏｐｅｒａｔｉｏｎ  Ｂａｓｅｄ  ｏｎ  Ｓｐａｔｉａｌ  Ｃｏｖａｒｉａｎｃｅ  Ｆｅｅｄｂａｃｋ  ａｎｄ  Ｐｅｒｆｏｒｍａｎｃｅ  Ｒｅｓｕｌｔｓ  ｏｆ  Ｃｏｏｒｄｉｎａｔｅｄ  ＳＵ／ＭＵ  Ｂｅａｍｆｏｒｍｉｎｇ」のタイトルの文書Ｒ１−０９２６３４（２００９年６月２９日〜７月３日、ロサンゼルス）に記述されており、それは参照により本明細書に組み込まれる。
【０００５】
３ＧＰＰ  ＴＳＧ  ＲＡＮの「Ｃｏｏｒｄｉｎａｔｅｄ  Ｂｅａｍｆｏｒｍｉｎｇ  ｗｉｔｈ  ＤＬ  ＭＵ−ＭＩＭＯ」のタイトルの文書Ｒ１−０９３４７４（中国・深セン、２００９年８月２４日〜２８日）は、参照により本明細書に組み込まれ、長時間広帯域送信共分散マトリックスに基づく協調ビームフォーミングを持つマルチユーザＭＩＭＯ（ＭＵ−ＭＩＭＯ）方式を記述している。
【０００６】
ＣｏＭＰ方式はまた、複数のＬＴＥ−Ａｄｖａｎｃｅｄ（ＬＴＥ−Ａ）システムについて考えられている。ＬＴＥ−Ａのための複数のＣｏＭＰ方式の例は、フィードバックを参照して、３ＧＰＰ  ＴＳＧ  ＲＡＮの「Ｓｙｓｔｅｍ  Ｐｅｒｆｏｒｍａｎｃｅ  Ｃｏｍｐａｒｉｓｏｎｓ  ｏｆ  Ｓｅｖｅｒａｌ  ＤＬ  ＣｏＭＰ  ｓｃｈｅｍｅｓ」のタイトルの文書Ｒ１−０９３８３３（日本・宮崎、２００９年１０月１２日〜１６日）に記述され、それは参照により本明細書に組み込まれる。３ＧＰＰ  ＴＳＧ  ＲＡＮの「ＤＬ  ｐｅｒｆｏｒｍａｎｃｅ  ｏｆ  ＬＴＥ−Ａ：  ＦＤＤ」のタイトルの文書Ｒ１−０９３１３２（中国・深セン、２００９年８月２４日〜２８日）は、参照により本明細書に組み込まれ、周波数分割複信（ＦＤＤ）を用いるＣｏＭＰを持つ複数のＬＴＥ−Ａ  ＭＵ−ＭＩＭＯ方式を記述している。３ＧＰＰ  ＴＳＧ  ＲＡＮの「Ｆｅｅｄｂａｃｋ  ｉｎ  Ｓｕｐｐｏｒｔ  ｏｆ  ＤＬ  ＣｏＭＰ：  Ｇｅｎｅｒａｌ  Ｖｉｅｗｓ」のタイトルの文書Ｒ１−０９３１０９（中国・深セン、２００９年８月２４日〜２８日）は、参照により本明細書に組み込まれ、複数のＬＴＥ−ＡシステムにＣｏＭＰを実装するためのいくつかのフィードバック設計オプションを議論している。
【発明の概要】
【０００７】
一実施形態において、方法は、第１の通信デバイスにおいて、第２の通信デバイスによって第１の通信デバイスと第２の通信デバイスとの間の通信チャネルに関連するチャネル品質インジケータ（ＣＱＩ）を計算する場合に利用されるべき干渉共分散計算技術を選択する段階であって、干渉共分散計算技術が、干渉共分散を計算するための複数の技術のセットから選択される段階と、第１の通信デバイスで、選択された干渉共分散計算技術の指標を第２の通信デバイスに送信する段階と、第１の通信デバイスにおいて、選択された干渉共分散計算技術に従って第２の通信デバイスによって計算されたＣＱＩを受信する段階とを含む。
【０００８】
他の複数の実施形態において、方法は、下記の複数の特徴のうち１つ又は複数の任意の組み合わせを含む。
【０００９】
干渉共分散計算技術を選択する段階が、第１の通信デバイスにおいて、干渉共分散を計算する場合に第２の通信デバイスによって利用されるべき式を選択する段階を備える。式は、複数の式のセットから選択される。
【００１０】
複数の式のセットは、クラスタにおいて干渉者としてみなされるトランスミッタ無しに対応する第１の式と、クラスタにおいて干渉者としてみなされる１つ又は複数のトランスミッタのセットに対応する第２の式とを含む。
【００１１】
干渉共分散計算技術を選択する段階は、第１の通信デバイスにおいて、干渉共分散を計算する場合に干渉者とみなされる１つ又は複数のトランスミッタのセットを選択する段階を備える。
【００１２】
方法は、第１の通信デバイスにおいて、第１の通信デバイスと第２の通信デバイスとの間の通信チャネルに関連するＣＱＩを計算する場合に第２の通信デバイスによって利用されるべきＣＱＩ計算技術を選択する段階と、第１の通信デバイスで、選択されたＣＱＩ計算技術の指標を第２の通信デバイスに送信する段階とをさらに備える。ＣＱＩ計算技術は、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩのための複数の技術のセットから選択される。受信された、第２の通信デバイスによって計算されたＣＱＩは、選択されたＣＱＩ計算技術に従う。
【００１３】
他の実施形態において、第１の通信デバイスは、ネットワークインタフェースデバイス備える。ネットワークインタフェースデバイスは、第２の通信デバイスによって第１の通信デバイスと第２の通信デバイスとの間の通信チャネルに関連するチャネル品質インジケータ（ＣＱＩ）を計算する場合に利用されるべき干渉共分散計算技術を選択し、第１の通信デバイスに、選択された干渉共分散計算技術の指標を第２の通信デバイスへ送信させ、送信された選択された干渉共分散計算技術の指標に応じて第２の通信デバイスから受信したＣＱＩを処理するよう構成される。干渉共分散計算技術が、干渉共分散を計算するための複数の技術のセットから選択される。ＣＱＩは、第２の通信デバイスによって、選択された干渉共分散計算技術に従って計算される。
【００１４】
他の複数の実施形態において、第１の通信デバイスは、下記の複数の特徴のうち１つ又は複数の任意の組み合わせを備える。
【００１５】
ネットワークインタフェースデバイスは、干渉共分散を計算する場合に第２の通信デバイスによって利用されるべき式を少なくとも選択することによって、干渉共分散計算技術を選択するよう構成される。式は、複数の式のセットから選択される。
【００１６】
複数の式のセットは、クラスタにおいて干渉者としてみなされるトランスミッタ無しに対応する第１の式と、クラスタにおいて干渉者としてみなされる１つ又は複数のトランスミッタのセットに対応する第２の式とを含む。
【００１７】
ネットワークインタフェースデバイスは、干渉共分散を計算する場合に干渉者とみなされる１つ又は複数のトランスミッタのセットを少なくとも選択することによって、干渉共分散計算技術を選択するよう構成される。
【００１８】
ネットワークインタフェースデバイスは、第１の通信デバイスと第２の通信デバイスとの間の通信チャネルに関連するＣＱＩを計算する場合に第２の通信デバイスによって利用されるべきＣＱＩ計算技術を選択し、第１の通信デバイスに、選択されたＣＱＩ計算技術の指標を第２の通信デバイスへ送信させるよう構成される。ＣＱＩ計算技術は、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩのための複数の技術のセットから選択される。受信された、第２の通信デバイスによって計算されたＣＱＩは、選択されたＣＱＩ計算技術に従う。
【００１９】
他の実施形態において、方法は、第１の通信デバイスにおいて、複数の干渉共分散計算技術に従って、第１の通信デバイスと第２の通信デバイスとの間の通信チャネルに関連する複数の干渉共分散を計算する段階と、第１の通信デバイスにおいて、複数の干渉共分散における１つ又は複数の干渉共分散のサブセットを選択する段階と、第１の通信デバイスにおいて、１つ又は複数の干渉共分散のサブセットを用いて、１つ又は複数のそれぞれのチャネル品質インジケータ（ＣＱＩ）のセットを計算する段階と、１つ又は複数のＣＱＩのセットを、第１の通信デバイスから第２の通信デバイスに送信する段階と、１つ又は複数のＣＱＩのセットを計算するために利用された１つ又は複数のそれぞれの干渉共分散計算技術の１つ又は複数のインジケータのセットを、第１の通信デバイスから第２の通信デバイスに送信する段階とを含む。
【００２０】
他の複数の実施形態において、方法は、下記の複数の特徴のうち１つ又は複数の任意の組み合わせを含む。
【００２１】
複数の干渉共分散計算技術は、クラスタにおいて干渉者としてみなされるトランスミッタ無しに対応する第１の式を利用する第１の干渉共分散計算技術と、記クラスタにおいて干渉者としてみなされる１つ又は複数のトランスミッタのセットに対応する第２の式を利用する第２の干渉共分散計算技術とを備える。
【００２２】
複数の干渉共分散計算技術は、第３の通信デバイスを干渉者としてみなす第１の干渉共分散計算技術と、第３の通信デバイスを干渉者としてみなさない第２の干渉共分散計算技術とを備える。
【００２３】
１つ又は複数の干渉共分散のサブセットを用いて、１つ又は複数のそれぞれのＣＱＩのセットを計算する段階は、１つ又は複数のＣＱＩのセットを、選択されたＣＱＩ計算技術に従って計算する段階を備える。選択されたＣＱＩ計算技術は、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩのための複数の技術のセットから選択される。
【００２４】
方法は、選択されたＣＱＩ計算技術の指標を、第１の通信デバイスから第２の通信デバイスに送信する段階をさらに備える。
【００２５】
複数の干渉共分散における１つ又は複数の干渉共分散のサブセットを選択する段階は、他の複数の干渉共分散に対応する他の複数の干渉仮定に比べて、より高いスペクトル効率をもたらす１つ又は複数のそれぞれの干渉仮定に対応する１つ又は複数の干渉共分散を選択する段階を備える。
【００２６】
他の実施形態において、第１の通信デバイスは、ネットワークインタフェースデバイスを備える。ネットワークインタフェースデバイスは、複数の干渉共分散計算技術に従って、第１の通信デバイスと第２の通信デバイスとの間の通信チャネルに関連する複数の干渉共分散を計算し、複数の干渉共分散における１つ又は複数の干渉共分散のサブセットを選択し、１つ又は複数の干渉共分散のサブセットを用いて、１つ又は複数のそれぞれのチャネル品質インジケータ（ＣＱＩ）のセットを計算し、第１の通信デバイスに、１つ又は複数のＣＱＩのセットを第２の通信デバイスへ送信させ、第１の通信デバイスに、１つ又は複数のＣＱＩのセットを計算するために利用された１つ又は複数のそれぞれの干渉共分散計算技術の１つ又は複数のインジケータのセットを、第２の通信デバイスへ送信させるよう構成される。
【００２７】
他の複数の実施形態において、第１の通信デバイスは、下記の複数の特徴のうち１つ又は複数の任意の組み合わせを備える。
【００２８】
複数の干渉共分散計算技術は、クラスタにおいて干渉者としてみなされるトランスミッタ無しに対応する第１の式を利用する第１の干渉共分散計算技術と、クラスタにおいて干渉者としてみなされる１つ又は複数のトランスミッタのセットに対応する第２の式を利用する第２の干渉共分散計算技術とを備える。
【００２９】
複数の干渉共分散計算技術は、第３の通信デバイスを干渉者としてみなす第１の干渉共分散計算技術と、第３の通信デバイスを干渉者としてみなさない第２の干渉共分散計算技術とを備える。
【００３０】
ネットワークインタフェースデバイスは、少なくとも、選択されたＣＱＩ計算技術に従って１つ又は複数のＣＱＩのセットを計算することによって、１つ又は複数のそれぞれのＣＱＩのセットを計算し、第１の通信デバイスに、選択されたＣＱＩ計算技術の指標を第２の通信デバイスへ送信させるよう構成される。選択されたＣＱＩ計算技術が、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩのための複数の技術のセットから選択される。
【００３１】
ネットワークインタフェースデバイスは、少なくとも、他の複数の干渉共分散に対応する他の複数の干渉仮定に比べて、より高いスペクトル効率をもたらす１つ又は複数のそれぞれの干渉仮定に対応する１つ又は複数の干渉共分散を選択することによって、複数の干渉共分散における１つ又は複数の干渉共分散のサブセットを選択するよう構成される。
【００３２】
ネットワークインタフェースデバイスは、少なくとも、他の複数の干渉共分散に対応する他の複数の干渉仮定に比べて最大のスペクトル効率に対応する干渉共分散を選択することによって、複数の干渉共分散における１つ又は複数の干渉共分散のサブセットを選択するよう構成される。
【００３３】
他の実施形態において、方法は、第１の通信デバイスにおいて、第２の通信デバイスから、選択された干渉共分散計算技術の指標を受信する段階であって、選択された干渉共分散計算技術が、第２の通信デバイスによって、干渉共分散を計算するための複数の技術のセットから選択されている段階と、第１の通信デバイスにおいて、受信された指標に基づいて干渉共分散を計算する場合に干渉共分散を計算するための複数の技術のセットからのどの干渉共分散計算技術を用いるかを決定する段階であって、干渉共分散が、第１の通信デバイスと第２の通信デバイスとの間の通信チャネルに関連する段階と、第１の通信デバイスにおいて、決定された干渉共分散計算技術を用いて、干渉共分散を計算する段階と、第１の通信デバイスにおいて、計算された干渉共分散を用いて、チャネル品質インジケータ（ＣＱＩ）を計算する段階であって、ＣＱＩが、第１の通信デバイスと第２の通信デバイスとの間の通信チャネルに関連する段階と、第１の通信デバイスで、ＣＱＩを第２の通信デバイスに送信する段階とを含む。
【００３４】
他の複数の実施形態において、方法は、下記の複数の特徴のうち１つ又は複数の任意の組み合わせを含む。
【００３５】
どの干渉共分散計算技術を用いるかを決定する段階は、第１の通信デバイスにおいて、受信された指標に基づいて複数の式の選択肢のセットからの利用されるべき式を決定する段階を備える。
【００３６】
複数の式の選択肢のセットは、クラスタにおいて干渉者としてみなされるトランスミッタ無しに対応する第１の式と、クラスタにおいて干渉者としてみなされる１つ又は複数のトランスミッタのセットに対応する第２の式とを含む。
【００３７】
どの干渉共分散計算技術を用いるかを決定する段階は、第１の通信デバイスにおいて、干渉共分散を計算する場合に干渉者とみなされる１つ又は複数のトランスミッタのセットを決定する段階を備える。
【００３８】
方法は、第１の通信デバイスで、ＣＱＩを計算する場合に第１の通信デバイスによって利用されるべき選択されたＣＱＩ計算技術の指標を受信する段階をさらに備える。ＣＱＩ計算技術が、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩのための複数の技術のセットから、第２の通信デバイスによって選択されている。ＣＱＩを計算する段階が、選択されたＣＱＩ計算技術を用いてＣＱＩを計算する段階を備える。
【００３９】
他の実施形態において、第１の通信デバイスは、ネットワークインタフェースデバイスを備える。ネットワークインタフェースデバイスは、第２の通信デバイスから受信された、選択された干渉共分散計算技術の指標に基づいて、干渉共分散を計算する場合に干渉共分散を計算するための複数の技術のセットからのどの干渉共分散計算技術を用いるかを決定し、決定された干渉共分散計算技術を用いて、干渉共分散を計算し、計算された干渉共分散を用いて、チャネル品質インジケータ（ＣＱＩ）を計算し、第１の通信デバイスに、ＣＱＩを第２の通信デバイスへ送信させるよう構成される。選択された干渉共分散計算技術が、第２の通信デバイスによって、干渉共分散を計算するための複数の技術のセットから選択されている。干渉共分散が、第１の通信デバイスと第２の通信デバイスとの間の通信チャネルに関連する。ＣＱＩが、第１の通信デバイスと第２の通信デバイスとの間の通信チャネルに関連する。
【００４０】
他の複数の実施形態において、第１の通信デバイスは、下記の複数の特徴のうち１つ又は複数の任意の組み合わせを備える。
【００４１】
ネットワークインタフェースデバイスは、少なくとも、受信された指標に基づいて複数の式の選択肢のセットからの利用されるべき式を決定することによって、どの干渉共分散計算技術を用いるかを決定するよう構成される。
【００４２】
複数の式の選択肢のセットは、クラスタにおいて干渉者としてみなされるトランスミッタ無しに対応する第１の式と、クラスタにおいて干渉者としてみなされる１つ又は複数のトランスミッタのセットに対応する第２の式とを含む。
【００４３】
ネットワークインタフェースデバイスは、少なくとも、干渉共分散を計算する場合に干渉者とみなされる１つ又は複数のトランスミッタのセットを決定することによって、どの干渉共分散計算技術を用いるかを決定するよう構成される。
【００４４】
ネットワークインタフェースデバイスは、選択されたＣＱＩ計算技術の受信された指標に基づいて、用いるＣＱＩ計算技術を決定し、決定されたＣＱＩ計算技術を用いてＣＱＩを計算するよう構成される。選択されたＣＱＩ計算技術が、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩの計算のための複数の技術のセットから、第２の通信デバイスによって選択されている。
【００４５】
他の実施形態において、方法は、第１の通信デバイスにおいて、第２の通信デバイスから送信されたチャネル品質インジケータ（ＣＱＩ）を受信する段階であって、ＣＱＩが、第２の通信デバイスによって計算されており、ＣＱＩが、第１の通信デバイスと第２の通信デバイスとの間の通信チャネルに関連する段階と、第１の通信デバイスにおいて、第２の通信デバイスから送信された、ＣＱＩを計算するために第２の通信デバイスによって利用された干渉共分散計算技術の指標を受信する段階と、第１の通信デバイスにおいて、受信された干渉共分散計算技術の指標に基づいて、複数の干渉共分散計算技術の選択肢からのどの干渉共分散計算技術が第２の通信デバイスによって利用されたかを決定する段階と、第１の通信デバイスにおいて、第２の通信デバイスによって利用された干渉共分散計算技術の決定に基づいて、ＣＱＩを処理する段階とを含む。
【００４６】
他の複数の実施形態において、方法は、下記の複数の特徴のうち１つ又は複数の任意の組み合わせを含む。
【００４７】
どの干渉共分散計算技術が利用されたかを決定する段階は、複数の式の選択肢のセットから、第２の通信デバイスによってどの式が利用されたかを決定する段階を備える。
【００４８】
複数の式の選択肢のセットは、クラスタにおいて干渉者としてみなされるトランスミッタ無しに対応する第１の式と、クラスタにおいて干渉者としてみなされる１つ又は複数のトランスミッタのセットに対応する第２の式とを含む。
【００４９】
どの干渉共分散計算技術が利用されたかを決定する段階は、第１の通信デバイスにおいて、干渉共分散を計算する場合に干渉者とみなされる１つ又は複数のトランスミッタのセットを決定する段階を備える。
【００５０】
他の実施形態において、第１の通信デバイスは、ネットワークインタフェースデバイスを備える。ネットワークインタフェースデバイスは、第２の通信デバイスから送信されたチャネル品質インジケータ（ＣＱＩ）を受信し、第２の通信デバイスから送信された、ＣＱＩを計算するために第２の通信デバイスによって利用された干渉共分散計算技術の指標を受信し、受信された干渉共分散計算技術の指標に基づいて、複数の干渉共分散計算技術の選択肢からのどの干渉共分散計算技術が第２の通信デバイスによって利用されたかを決定し、第２の通信デバイスによって利用された干渉共分散計算技術の決定に基づいて、ＣＱＩを処理するよう構成される。ＣＱＩが、第２の通信デバイスによって計算されている。ＣＱＩが、第１の通信デバイスと第２の通信デバイスとの間の通信チャネルに関連する。
【００５１】
他の複数の実施形態において、第１の通信デバイスは、下記の複数の特徴のうち１つ又は複数の任意の組み合わせを含む。
【００５２】
ネットワークインタフェースデバイスは、少なくとも、複数の式の選択肢のセットから、第２の通信デバイスによってどの式が利用されたかを決定することによって、どの干渉共分散計算技術が利用されたかを決定するよう構成される。
【００５３】
複数の式の選択肢のセットは、クラスタにおいて干渉者としてみなされるトランスミッタ無しに対応する第１の式と、クラスタにおいて干渉者としてみなされる１つ又は複数のトランスミッタのセットに対応する第２の式とを含む。
【００５４】
ネットワークインタフェースデバイスは、少なくとも、干渉共分散を計算する場合に干渉者とみなされる１つ又は複数のトランスミッタのセットを決定することによって、どの干渉共分散計算技術が利用されたかを決定するよう構成される。
【図面の簡単な説明】
【００５５】
【図１Ａ】実施形態による、複数の基地局によって後に協調送信を実行するために用いられるチャネル品質インジケータ（ＣＱＩ）をクライアント局が計算する例示的なシステムのブロック図である。
【００５６】
【図１Ｂ】実施形態による、複数の基地局によって後に協調送信を実行するために用いられるＣＱＩをクライアント局が計算する他の例示的なシステムのブロック図である。
【００５７】
【図１Ｃ】実施形態による、複数の基地局によって後に協調送信を実行するために用いられるＣＱＩをクライアント局が計算する他の例示的なシステムのブロック図である。
【００５８】
【図２】実施形態による、ＣＱＩを計算するようクライアント局に促す例示的な方法のフロー図である。
【００５９】
【図３】実施形態による、基地局によって選択された技術に従ってクライアント局でＣＱＩを計算するための例示的な方法のフロー図である。
【００６０】
【図４】実施形態による、クライアント局で１つ又は複数のＣＱＩを計算するための例示的な方法のフロー図である。
【００６１】
【図５】実施形態による、クライアント局によって計算された１つ又は複数のＣＱＩを、基地局で処理するための例示的な方法のフロー図である。
【発明を実施するための形態】
【００６２】
以下に説明する実施形態において、通信ネットワークのエボルブドノードベースデバイス（ｅＮＢ）等の第１の無線通信デバイスは、ユーザ装置（ＵＥ）等の第２の無線通信デバイスに送信し、第２の無線通信デバイスから受信する。ｅＮＢ及びＵＥは、第３世代パートナーシップ・プロジェクト・ロングタームエボリュ−ション（３ＧＰＰ  ＬＴＥ）規格において用いられる用語に対応する。しかし、本明細書で扱われる装置及び複数の方法は、複数の３ＧＰＰ  ＬＴＥネットワークに限定されない。むしろ、本明細書で扱われる装置及び複数の方法は、他の複数のタイプの無線通信ネットワークにも利用されてよい。例えば、本明細書で記述される装置及び複数の方法の複数の実施形態を利用し得る他の例示的なシステムは、ワールドワイド・インターオペラビリティ・フォー・マイクロウェーブ・アクセス（ＷｉＭＡＸ（登録商標））フォーラムによって公表された技術である（そのような複数のシステムは、米国電気電子学会（ＩＥＥＥ）の８０２．１６ｅ規格に準拠する）。ＷｉＭＡＸ（登録商標）において、基地局（ＢＳ）は３ＧＰＰ  ＬＴＥのｅＮＢに対応し、移動局（ＭＳ）はＵＥに対応する。他の複数の実施形態において、他の複数のタイプの複数のシステムは、複数のＩＥＥＥ８０２．１６規格のうち１つ又は複数に準拠する複数の通信システム、複数のＩＥＥＥ８０２．１１規格のうち１つ又は複数に準拠する複数のシステム等の複数の無線ローカルエリアネットワーク（ＷＬＡＮ）システム等のような、本明細書で記述される装置及び複数の方法を利用してよい。しかし、説明を簡単にするために、以下の説明は、複数の基地局（例えば、複数のｅＮＢ）及びクライアント局（例えば、複数のＵＥ）を参照する。
【００６３】
図１Ａは、実施形態による、例示的な無線通信ネットワーク１０のブロック図である。ネットワーク１０は、複数のそれぞれの基地局１４によってサービス提供される複数のセル１２を含む。例えば、基地局１４−１はセル１２−１にサービス提供し、基地局１４−２はセル１２−２にサービス提供し、基地局１４−３はセル１２−３にサービス提供する。明確さのために３つのセル１２及び３つの基地局１４が図示されているが、典型的なシステムはより多くのセル１２及び基地局１４を含む。
【００６４】
以下により詳細に議論されるように、隣接する複数のセル１２に対応する複数の基地局１４は、クライアント局による受信を改善するために特にセル１２の端部に近い複数のクライアント局への複数の送信を協調してよい。例えば、クライアント局２５はセル１２−１内にあるが、セル１２−１の端部に近く、セル１２−２及び１２−３の近くに位置している。実施形態において、基地局１４−１、１４−２及び１４−３は、クライアント局２５への複数の送信を協調して、クライアント局２５による受信を改善する。
【００６５】
実施形態において、基地局１４は、協調送信方式を使用する。ここで複数の基地局１４は、複数のダウンリンク送信を協調する。特に、ダウンリンクスケジューリング及び／又はビームフォーミングを協調する。実施形態において、例えば、コヒーレントな共同処理（Ｊｏｉｎｔ  Ｐｒｏｃｅｓｓｉｎｇ）（ＪＰ）モードの動作において、２つ又はそれより多くの基地局１４は、クライアント局２５に同時にデータを送信して、クライアント局２５による受信をコヒーレントに又は非コヒーレントに改善する。実施形態において、例えば、基地局１４−１、１４−２及び１４−３は、ＪＰモードで動作している場合に、同一のデータをクライアント局２５に同時に送信する。他の例として、協調ビームフォーミング（ＣＢ）モードの動作において、複数の基地局１４はそれらのそれぞれのダウンリンク送信を協調して、干渉を低減するべく、干渉する複数の基地局１４が所与のクライアント局に所与の時間及び／又は所与の周波数で送信することを避けることができるようにする。実施形態において、例えば、ＣＢモードにおいて、基地局１４−２及び１４−３は、所与の時間及び／又は所与の周波数で送信することを避けて、所与の時間及び／又は所与の周波数での、基地局１４−１からクライアント局２５への送信の干渉を低減する。他の例として、動的ポイント選択（ｄｙｎａｍｉｃ  ｐｏｉｎｔ  ｓｅｌｅｃｔｉｏｎ）（ＤＰＳ）モードの動作において、１つ又は複数の基地局１４は、所与の時間及び／又は所与の周波数でのクライアント局２５への送信について、動的に選択される。
【００６６】
実施形態において、基地局１４間のそのような協調を可能にするために、基地局１４のうち１つ又は複数は、各基地局１４とクライアント局２５との間の複数のチャネル情報に関する情報を要求する。いくつかの実施形態において、例えば、基地局１４−１からクライアント局２５へのチャネルの推定ＨＳが必要とされ、基地局１４−２からクライアント局２５へのチャネルの推定Ｈｉ１が必要とされ、基地局１４−１からクライアント局２５へのチャネルの推定Ｈｉ２が必要とされる。実施形態において、クライアント局２５は、基地局１４からのそれぞれの既知の信号を処理して、それぞれの既知の信号の処理に基づいて、それぞれのチャネル測定を計算する。実施形態において、各チャネル測定は、その後、基地局１４のうち１つ又は複数に送信される。
【００６７】
いくつかの実施形態において、他の例として、基地局１４−１からクライアント局２５へのチャネル内におけるノイズの測定が必要とされ、基地局１４−２からクライアント局２５へのチャネル内におけるノイズの測定が必要とされ、基地局１４−１からクライアント局２５へのチャネル内におけるノイズの測定が必要とされる。実施形態において、（例えば、各基地局１４からクライアント局２５への）異なる複数のチャネルに対応する複数のノイズ測定は、その後、複数の基地局１４のうち１つ又は複数に送信される。
【００６８】
いくつかの実施形態において、システム１０は直交波周波数分割多重（ＯＦＤＭ）を利用する。いくつかの実施形態において、基地局１４−１からクライアント局２５への送信は、例えば、１つ又は複数の特定のリソースエレメントについてスケジュールされる。各リソースエレメントは、特定のＯＦＤＭシンボル及びＯＦＤＭシンボル内の特定の周波数サブキャリアに対応する。したがって、いくつかの実施形態において、複数の基地局１４間で協調することは、１つ又は複数の特定のリソースエレメントでの複数のチャネル情報の知識を要求してよい。いくつかの実施形態において、１つのダウンリンクフレーム内に、数十又は更に数百のサブキャリア、及び、数百のＯＦＤＭシンボルがあってよい。
【００６９】
いくつかの実施形態において、チャネル状態情報（ＣＳＩ）はクライアント局２５にて１つ又は複数の特定のリソースエレメント（ＲＥ）で測定され、その後、クライアント局２５はＣＳＩを１つ又は複数の基地局１４にＣＳＩフィードバックとして通知する。実施形態において、ＣＳＩフィードバックは、チャネル測定及び干渉測定を含む。いくつかの実施形態において、チャネル測定及び干渉測定は、少なくとも部分的に、基地局１４のうち１つ又は複数によって送信された複数の参照信号を用いて遂行される。そのような複数の参照信号は、チャネル情報参照信号（ＣＳＩ−ＲＳ）と称される場合がある。実施形態において、ＣＳＩ−ＲＳは、クライアント局２５によって受信され、チャネル及び／又は複数の干渉状態を測定するためにクライアント局２５によって用いられる、非ゼロ電力の複数のパイロット送信を含む。いくつかの実施形態において、干渉測定は、少なくとも部分的に、特定のＲＥにおいて複数の送信をミューティングする１つ又は複数の基地局１４、及び、当該ＲＥにおいて複数の測定を行うクライアント局２５によって遂行される。その複数の測定は、潜在的な干渉レベルを示す。
【００７０】
例えば、実施形態において、基地局１４−１は第１のＲＥにおいてＣＳＩ−ＲＳを送信し、これに対し基地局１４−２及び１４−３はミューティングされる。基地局１４−２は第２のＲＥにおいてＣＳＩ−ＲＳを送信し、これに対し基地局１４−１及び１４−３はミューティングされる。基地局１４−３は第３のＲＥにおいてＣＳＩ−ＲＳを送信し、これに対し基地局１４−１及び１４−２はミューティングされる。そして、基地局１４−１、１４−２及び１４−３の全ては第４のＲＥにおいてミューティングされた状態にある。この例において、クライアント局１５は、第１のＲＥを利用してＨＳを測定できる。クライアント局１５は、第２のＲＥを利用してＨｉ１を測定できる。クライアント局１５は、第２のＲＥを利用してＨｉ２を測定できる。しかし、利用される特定の送信方式に依存して干渉を測定するための複数の方法があり得る。実施形態において、例えば、もし基地局１４−１及び１４−２が共同トランスミッタになり、基地局１４−３が干渉者とみなされる場合、第３のＲＥを用いて干渉が測定されるだろう。実施形態において、反対に、もし基地局１４−１及び１４−３が共同トランスミッタになり、基地局１４−２が干渉者とみなされる場合、第２のＲＥを用いて干渉が測定されるだろう。実施形態において、さらに他の例として、もし基地局１４−１、１４−２及び１４−３の全てが共同トランスミッタになる場合、干渉を測定するために第２のＲＥも第３のＲＥも用いられないだろう。
【００７１】
実施形態において、同様に、ＪＰが利用される場合、第１の干渉計算技術が利用される。これに対し、ＤＰＳが利用される場合、第２の干渉計算技術が利用される。したがって、いくつかの実施形態において、例えば、複数の基地局１４のどれが複数の干渉者とみなされるか、及び／又は、どのタイプの送信方式（例えば、ＪＰ、ＣＰ、ＤＰＳ等）が用いられるかに依存して、クライアント局２５が干渉の測定を生成するための複数の方法があり得る。
【００７２】
いくつかの実施形態において、クライアント局２５は、１つ又は複数の基地局１４に、チャネル品質インジケータ（ＣＱＩ）等のチャネル品質のインジケータを通知する。いくつかの実施形態において、ＣＱＩは干渉の指標を含む。上記で述べたように、いくつかの実施形態において、例えば、複数の基地局１４のどれが複数の干渉者とみなされるか、及び／又は、どのタイプの送信方式（例えば、ＪＰ、ＣＰ、ＤＰＳ等）が用いられるかに依存して、クライアント局２５が干渉の測定を生成するための複数の方法があり得る。したがって、いくつかの実施形態において、例えば、複数の基地局１４のどれが複数の干渉者とみなされるか、及び／又は、どのタイプの送信方式（例えば、ＪＰ、ＣＰ、ＤＰＳ等）が用いられるかに依存して、クライアント局２５がＣＱＩを生成するための複数の方法があり得る。
【００７３】
以下に記述されるいくつかの実施形態において、基地局１４のうち１つ又は複数がクライアント局２５に、生成されることになるチャネル品質インジケータ（ＣＱＩ）を生成するための方法の指標を送信する。クライアント局２５はその後、指定された方法に従ってＣＱＩを生成して、生成されたＣＱＩを１つ又は複数の基地局１４に送り返す。本実施形態において、１つ又は複数の基地局１４は、クライアント局２５から送り返されたＣＱＩが、指定された方法に従って生成されたということを知っている。
【００７４】
以下に記述されるいくつかの実施形態において、クライアント局２５は、複数の異なる干渉シナリオについて干渉共分散を計算し、１つ又は複数の最良の干渉共分散シナリオのセットを決定する。例えば、実施形態において、１つ又は複数の最良の干渉共分散シナリオは、他の複数の干渉仮定に比べて、より高いスペクトル効率をもたらす１つ又は複数の干渉仮定のセットに対応する。例として、システム１０における第１の干渉仮定は、基地局１４−１が所望の信号を送信するのに対し、基地局１４−２及び１４−３が干渉者である。システム１０における第２の干渉仮定は、基地局１４−１及び１４−２が所望の信号を共同して送信するのに対し、基地局１４−３が干渉者である。システム１０における第３の干渉仮定は、基地局１４−１及び１４−３が所望の信号を共同して送信するのに対し、基地局１４−２が干渉者である等。クライアント局２５は、１つ又は複数の最良の干渉共分散シナリオのセットに対応する１つ又は複数のＣＱＩのセットを、１つ又は複数の最良の干渉共分散シナリオの１つ又は複数のインジケータのセットと共に送り返す。実施形態において、１つの干渉共分散シナリオが選択される。ここで、１つの選択された干渉シナリオは、他の複数の干渉仮定に比べて最大のスペクトル効率をもたらす干渉仮定に対応する。実施形態において、クライアント局２５は、スペクトル効率を最大化する１つの干渉共分散シナリオに対応する１つのＣＱＩを送り返す。
【００７５】
実施形態において、システム１０は、３ＧＰＰロングタームエボリュ−ションアドバンスド（ＬＴＥ−Ａ）仕様に従って動作する。しかし、他の複数の実施形態において、システム１０は、任意の他の適切な通信規格又はプロトコルに従って動作する。例えば、開示された技術はまた、ＩＥＥＥ８０２．１１仕様のうち１つ又は複数に従って動作する複数のＷｉ−Ｆｉシステム、又は、ＩＥＥＥ８０２．１６ｍ仕様に従って動作する複数のＷｉＭＡＸ（登録商標）システムに適用できる。
【００７６】
図１Ｂは、実施形態による、例示的な無線通信ネットワーク１０の他のブロック図である。基地局１４−１は、ネットワークインタフェース１６に結合したホストプロセッサ１５を含む。ネットワークインタフェース１６は、メディアアクセス制御（ＭＡＣ）プロセッシングユニット１８及び物理層（ＰＨＹ）プロセッシングユニット２０を含む。ＰＨＹプロセッシングユニット２０は複数のトランシーバ２１を含み、複数のトランシーバ２１は複数のアンテナ２４に結合される。３つのトランシーバ２１及び３つのアンテナ２４が図１Ｂに図示されているが、他の複数の実施形態において、基地局１４は異なる適切な数（例えば、２、４、５等）のトランシーバ２１及びアンテナ２４を含むことができる。いくつかの実施形態において、複数のトランシーバ２１は同一のアンテナに結合され、アンテナ選択が利用される。したがって、いくつかの実施形態において、アンテナ２４の数は、トランシーバ２１の数と同一でない。さらに、いくつかの実施形態において、基地局１４は、アンテナダイバーシチ、アンテナビームフォーミング、及び／又は、空間多重化等の複数入力複数出力（ＭＩＭＯ）技術を利用するよう構成されている。
【００７７】
様々な実施形態において、基地局１４−２及び１４−３のうち一方又は両方は、基地局１４−１と同一又は同様の構造を持つ。
【００７８】
クライアント局、ＵＥ２５は、ネットワークインタフェース２７に結合したホストプロセッサ２６を含む。ネットワークインタフェース２７は、ＭＡＣプロセッシングユニット２８及びＰＨＹプロセッシングユニット２９を含む。ＰＨＹプロセッシングユニット２９は、複数のトランシーバ３０を含み、複数のトランシーバ３０は複数のアンテナ３４に結合されている。他の複数の実施形態において、３つのトランシーバ３０及び３つのアンテナ３４が図１Ｂに図示されているが、他の実施形態において、クライアント局２５は、異なる数（例えば、２，４、５等）のトランシーバ３０及びアンテナ３４を含むことができる。いくつかの実施形態において、複数のトランシーバ３０は同一のアンテナに結合され、アンテナ選択が利用される。したがって、いくつかの実施形態において、アンテナ３４の数は、トランシーバ３０の数と同一でない。さらに、いくつかの実施形態において、クライアント局２５は、アンテナダイバーシチ、アンテナビームフォーミング、及び／又は、空間多重化等の複数入力複数出力（ＭＩＭＯ）技術を利用するよう構成されている。
【００７９】
いくつかの実施形態において、基地局１４−１のネットワークインタフェース１６は、基地局１４−１に、チャネル品質インジケータ（ＣＱＩ）を生成するための方法の指標をクライアント局２５へ送信させるよう構成される。クライアント局２５のネットワークインタフェース２７は、その後に、指定された方法に従ってＣＱＩを生成するよう構成され、クライアント局２５に、生成されたＣＱＩを基地局１４−１へ送信させる。本実施形態において、基地局１４のネットワークインタフェース１６は、クライアント局２５から送り返されたＣＱＩが、指定された方法に従って生成されたことを知っている。
【００８０】
実施形態において、基地局１４−１のネットワークインタフェース１６は、ＣＱＩを計算するための複数の技術の選択肢から、ＣＱＩを計算するための１つ又は複数の技術のサブセットを選択するよう構成されたＣＱＩ計算技術選択モジュール１０４を含む。さらに、ＣＱＩ計算技術選択モジュール１０４は、基地局１４−１に、ＣＱＩを計算するための１つ又は複数の選択された技術の１つ又は複数のそれぞれのインジケータを送信させるようよう構成される。いくつかの実施形態において、各インジケータは、それぞれの識別子、コード等である。実施形態において、ＣＱＩを計算するための技術を選択することは、干渉共分散を計算するための複数の技術の選択肢から、干渉共分散を計算するための技術を選択することを含む。ここで、選択された干渉共分散は、その後、ＣＱＩを計算するために用いられる。実施形態において、ＣＱＩ計算技術選択モジュール１０４は、ＰＨＹプロセッシングデバイス２０に含まれる。実施形態において、ＣＱＩ計算技術選択モジュール１０４は、ＭＡＣ処理デバイス１８に含まれる。実施形態において、ＣＱＩ計算技術選択モジュール１０４は、ＰＨＹプロセッシングデバイス２０又はＭＡＣ処理デバイス１８のいずれにも含まれない。
【００８１】
実施形態において、クライアント局２５のネットワークインタフェース２７は、基地局１４−１のＣＱＩ計算技術選択モジュール１０４によって選択された、１つ又は複数の選択された技術に従ってＣＱＩを計算するよう構成されたＣＱＩ計算モジュール１０８を含む。例えば、ＣＱＩ計算モジュール１０４は、基地局１４−１から送信された、ＣＱＩを計算するための１つ又は複数の選択された技術の１つ又は複数のそれぞれのインジケータを処理して、１つ又は複数のそれぞれのインジケータを用いて、ＣＱＩを計算する場合に利用するべき１つ又は複数の技術を決定する。実施形態において、ＣＱＩ計算モジュール１０８は、クライアント局２５に、１つ又は複数の選択された技術に従って計算された１つ又は複数のＣＱＩを、基地局１４−１及び／又は他の複数の基地局１４に送信させるよう構成される。
【００８２】
実施形態において、ＣＱＩ計算モジュール１０８は、ＰＨＹプロセッシングデバイス２９に含まれる。実施形態において、ＣＱＩ計算モジュール１０８は、ＭＡＣ処理デバイス２８に含まれる。実施形態において、ＣＱＩ計算モジュール１０８は、ＰＨＹプロセッシングデバイス２９又はＭＡＣ処理デバイス２８のいずれにも含まれない。
【００８３】
実施形態において、基地局１４−１のネットワークインタフェース１６は、（ｉ）クライアント局２５によって計算され、クライアント局２５から受信された１つ又は複数のＣＱＩを処理し、（ｉｉ）協調送信を実行するために１つ又は複数のＣＱＩを利用するよう構成された協調送信モジュール１１２を含む。実施形態において、例えば、協調送信モジュール１１２は、１つ又は複数のＣＱＩを用いて、利用する協調送信のタイプ（例えば、ＪＰ、ＣＢ、ＤＰＳ等）を選択する。実施形態において、他の例として、協調送信モジュール１１２は、１つ又は複数のＣＱＩを用いて、複数の基地局１４のどれがクライアント局２５に対する協調送信に関与するかを決定する。実施形態において、更に他の例として、クライアント局２５に送信される複数の信号のプリコーディングを実行する場合に、協調送信モジュール１１２は、１つ又は複数のＣＱＩを用いる。
【００８４】
いくつかの実施形態において、クライアント局２５のネットワークインタフェース２７は、複数の異なる干渉シナリオについて干渉共分散を計算し、１つ又は複数の最良の干渉共分散シナリオのセットを決定する。例えば、実施形態において、１つ又は複数の最良の干渉共分散シナリオは、他の複数の干渉仮定に比べて、より高いスペクトル効率をもたらす１つ又は複数の干渉仮定のセットに対応する。クライアント局２５のネットワークインタフェース２７は、１つ又は複数の最良の干渉共分散シナリオの１つ又は複数のインジケータのセットと共に、１つ又は複数の最良の干渉共分散シナリオのセットに対応する１つ又は複数のＣＱＩのセットが、基地局１４のうち１つ又は複数に送信されるようにする。実施形態において、基地局１４のネットワークインタフェース１６は、クライアント局２５から送り返された１つ又は複数のＣＱＩのセットにおけるＣＱＩがどのように生成されたかを、当該ＣＱＩが対応する干渉仮定及び／又は１つ又は複数のインジケータのセットを用いて決定できる。
【００８５】
図１Ｃは、他の実施形態による、例示的な無線通信ネットワーク１０の他のブロック図である。簡潔さを理由に、同様に番号付けされたものは詳細には述べられない。実施形態において、ＣＱＩ計算モジュール１０８は、ＣＱＩを計算するための複数の技術の選択肢からＣＱＩを計算するための１つ又は複数の技術のサブセットを選択するよう構成されたＣＱＩ計算技術選択モジュール１５４を含む。実施形態において、ＣＱＩを計算ための技術を選択することは、干渉共分散を計算するための複数の技術の選択肢から、干渉共分散を計算する技術を選択することを含む。ここで、選択された干渉共分散はその後、ＣＱＩを計算するのに用いられる。さらに、ＣＱＩ計算技術選択モジュール１０４は、クライアント局２５に、ＣＱＩを計算するための１つ又は複数の選択された技術の１つ又は複数のそれぞれのインジケータを送信させるよう構成される。いくつかの実施形態において、各インジケータは、それぞれの識別子、コード等である。
【００８６】
実施形態において、基地局１４−１のネットワークインタフェース１６は、（ｉ）１つ又は複数のＣＱＩを計算するためにクライアント局２５によってどの技術が利用されたかを決定するよう、（ｉｉ）クライアント局２５によって計算され、クライアント局２５から受信された１つ又は複数のＣＱＩを処理するよう、（ｉｉｉ）１つ又は複数のＣＱＩを利用して協調送信を実行するよう構成された協調送信モジュール１５８を含む。例えば、協調送信モジュール１５８は、クライアント局２５から送信されたＣＱＩを計算するための１つ又は複数の選択された技術の１つ又は複数のそれぞれのインジケータを処理して、ＣＱＩを計算する場合に、１つ又は複数のそれぞれのインジケータを用いて、クライアント局２５によって利用された１つ又は複数の技術を決定する。実施形態において、他の例として、協調送信モジュール１１２は、１つ又は複数のＣＱＩ、及び／又は、利用された技術の決定を用いて、利用する協調送信のタイプ（例えば、ＪＰ、ＣＢ、ＤＰＳ等）を選択する。実施形態において、他の例として、協調送信モジュール１１２は、１つ又は複数のＣＱＩ、及び／又は、利用された技術の決定を用いて、どの基地局１４がクライアント局２５に対する協調送信に関与するかを決定する。実施形態において、さらに他の例として、協調送信モジュール１１２は、クライアント局２５に送信される複数の信号のプリコーディングを実行する場合に、１つ又は複数のＣＱＩを用いる。
【００８７】
いくつかの実施形態において、将来の（例えば、基地局１４のうち１つ又は複数からクライアント局２５への）複数のダウンリンク送信の正確な干渉測定を可能にするために、基地局１４−１（又は図１Ａ及び１Ｂに示されていない中央コントローラ）は特定の複数のＲＥを割り当てる。そこではクライアント局２５に将来の所望の信号を送信することになっている基地局１４−１、１４−２及び／又は１４−３によって送信される信号がない。そのような複数のＲＥは、場合によっては、複数の干渉測定リソース（ＩＭＲ）と称される。実施形態において、クライアント局２５に対する複数の支配的な干渉が、割り当てられたＩＭＲの間、及び、クライアント局が干渉測定を実行している最中に、送信されるだろう。実施形態において、クライアント局２５は、これらの観測を周波数及び時間上で蓄積して、共分散を次式に従って計算する。
【数１】
0006260799.tif 000002
ここで、ｆは割り当てられたＲＥの周波数であり、ｔは割り当てられたＲＥに対応する期間であり、Ｉはクライアント局２５に対する支配的な干渉のセットであり、Ｈｉはｉ番目の干渉者からクライアント局２５へのチャネルであり、ｘｉはＲＥにおいてｉ番目の干渉者によって送信された信号であり、ｎは複数の基地局１４のクラスタ外からの干渉及びノイズであり、ｙは割り当てられたＲＥにおいてクライアント局２５によって行われた受信された観測である。
【００８８】
実施形態において、クライアント局２５のネットワークインタフェース２７は、次式に従って干渉共分散を計算するよう構成される。
【数２】
0006260799.tif 000003
ここで、Ｆ（ｆ）は、複数のＩＭＲが配された複数のサブチャネルのセットに対応し、Ｔ（ｔ）  は複数のＩＭＲが配された期間のセットを示す。式２は、所望の信号の将来の送信の間に干渉者として作用する基地局１４が無いだろうという仮定に対応する。しかし、この仮定は常に正しいとはいえず、実際には基地局１４のうち１つ又は複数はクライアント局２５に対する干渉を引き起こしてよい。
【００８９】
実施形態において、クライアント局２５のネットワークインタフェース２７は、追加的に又は代替的に、次式に従って干渉共分散を計算するよう構成される。
【数３】
0006260799.tif 000004
ここで、式３の第２項は、将来の協調送信に含まれない複数の基地局１４に対する複数のチャネル推定に対応する。式３は、基地局１４のうち１つ又は複数（式３の第２項に対応する）が、所望の信号の将来の送信の間に干渉者として作用するだろうという仮定に対応する。
【００９０】
実施形態において、２つの基地局１４と１つのＩＭＲのＣＳＩ通知セットについて、干渉共分散計算の総数は４である。例えば、基地局１４−１及び１４−２を含む通知セットは、式２に対応する第１の共分散計算、式３に対応し基地局１４−１が干渉者であるとみなす第２の共分散計算、式３に対応し基地局１４−２が干渉者であるとみなす第３の共分散計算、及び、式３に対応し基地局１４−１及び基地局１４−２の両方が干渉者であるとみなす第４の共分散計算。
【００９１】
同様に、実施形態において、３つの基地局１４及び１つのＩＭＲのＣＳＩ通知セットについて、干渉共分散を計算する方法の総数は８である。実施形態において、概して、Ｎ個の基地局１４及び１つのＩＭＲのＣＳＩ通知セットについて、干渉共分散を計算する方法の総数は２Ｎである。実施形態において、Ｍ個のＩＭＲでは、干渉共分散を計算する方法の総数は、Ｍ×２Ｎである。
【００９２】
理解されるように、ＣＱＩを計算する方法の数は、比較的大きくなり得る。クライアント局２５が、ある１つの技術に従ってＣＱＩを計算するが、異なる技術が用いられたと基地局１４−１がみなした場合、性能上の損失が結果として生じるかもしれない。したがって、いくつかの実施形態において、基地局１４−１のネットワークインタフェース１６は、クライアント局２５がＣＱＩを計算する１つ又は複数の技術のセットを選択するよう、及び、基地局１４−１に、選択されたセットの指標をクライアント局２５へ送信させるよう構成される。クライアント局２５のネットワークインタフェース２７は、その後に、選択されたセットに従って１つ又は複数のＣＱＩを計算するよう、及び、クライアント局２５に、１つ又は複数の計算されたＣＱＩを基地局１４−１へ送り返させるよう構成される。これに対し、いくつかの実施形態において、クライアント局２５のネットワークインタフェース２７は、複数の技術を用いて干渉共分散を計算するよう、及び、１つ又は複数の最良の干渉共分散の結果のセットを選択するよう構成される。ネットワークインタフェース２７は、その後に、選択されたセットに従って１つ又は複数のＣＱＩを計算するよう、及び、クライアント局２５に、１つ又は複数のＣＱＩを計算するためにどの複数の干渉共分散計算技術が用いられたかの複数の指標と共に、１つ又は複数の計算されたＣＱＩを基地局１４−１へ送り返させるよう構成される。
【００９３】
実施形態において、ＣＱＩは、ＣＳＩ−ＲＳリソース毎の原則で計算される。例えば、実施形態において、特定のＣＳＩ−ＲＳｉについて、ＣＱＩは、ｉ番目の基地局を除く全ての複数の基地局１４が干渉者であると仮定して計算される。例えば、実施形態において、特定のＣＳＩ−ＲＳｉについて、ＣＱＩは、次式に従って計算される。
【数４】
0006260799.tif 000005
ここで、ｆ（Ｈ，Ｋ）は、パラメータＨｉ及びＫｎを持つ適切なＣＱＩ計算関数である。Ｈｉは、ｉ番目の基地局からクライアント局２５へのチャネルに対応するチャネル推定である。Ｋｎは、式２又は式３に従って計算される。実施形態において、Ｋｎが式３に従って計算される場合、ｉ番目の基地局を除く全ての複数の基地局１４が干渉者であると仮定される。実施形態において、この仮定はＤＰＳ送信について適している。実施形態において、Ｋｎが式２に従って計算される場合、どの複数の基地局１４も干渉者でないと仮定される。実施形態において、この仮定はＣＢ送信について適している。
【００９４】
実施形態において、基地局１４−１のネットワークインタフェース１６は、クライアント局２５が式４に従ってｉ番目のＣＳＩ−ＲＳに対応するＣＱＩを計算するべきと決定するよう、及び、基地局１４−１に、ＣＱＩを計算するための選択された技術の指標をクライアント局２５へ送信させるよう構成される。指標はまた、式２又は式３のいずれが利用されるべきかを示してよい。クライアント局２５のネットワークインタフェース２７は、その後、対応するＣＱＩを式４に従って計算し、クライアント局２５に、計算されたＣＱＩを基地局１４−１へ送り返させるよう構成される。これに対し、いくつかの実施形態において、クライアント局２５のネットワークインタフェース２７は、式４に従ってＣＱＩを計算するよう構成される。ネットワークインタフェース２７は、その後、クライアント局２５に、ＣＱＩが式４に従って計算されたという指標と共に、計算されたＣＱＩを基地局１４−１へ送り返すよう構成される。
【００９５】
実施形態において、集約されたＣＱＩは複数のＣＳＩ−ＲＳについて計算される。実施形態において、集約されたＣＱＩは共同送信に適する。例えば、実施形態において、２つのＣＳＩ−ＲＳ（ＣＳＩ−ＲＳｉ及びＣＳＩ−ＲＳｋ）の特定のセットについて、ＣＱＩは、ｉ番目の基地局を除く全ての複数の基地局１４が干渉者であると仮定して計算される。例えば、実施形態において、特定のＣＳＩ−ＲＳｉについてのＣＱＩは、次式に従って計算される。
【数５】
0006260799.tif 000006
ここで、ｇ（Ｈｉ，Ｈｋ，Ｋ）は適切なＣＱＩ計算関数であり、Ｈｉはｉ番目の基地局からクライアント局２５へのチャネルに対応するチャネル推定であり、Ｈｋはｋ番目の基地局からクライアント局２５へのチャネルに対応するチャネル推定であり、Ｋｎは式２又は式３に従って計算される。ここで、ＣＳＩ−ＲＳのｉ及びｋは、集約され、ＣＱＩフィードバックについての干渉方法ｎに結び付けられる。式５は、３又はより多くのＣＳＩ−ＲＳの集約についてＣＱＩを計算するために直接的な方法で変更され得る。概して、Ｎ個のＣＳＩ−ＲＳにおいて、集約されたＣＱＩの２Ｎ−Ｎ−１個の組み合わせが利用可能である。
【００９６】
実施形態において、基地局１４−１のネットワークインタフェース１６は、クライアント局２５が複数のＣＳＩ−ＲＳに対応する集約のＣＱＩを式５又は他の適切な式に従って計算するべきと決定するよう、及び、基地局１４−１に、集約されたＣＱＩを計算するための選択された技術の指標（例えば、知られた識別子、コード等）をクライアント局２５へ送信させるよう構成される。指標は、式２又は式３が利用されるべきか否かを示してもよい。クライアント局２５のネットワークインタフェース２７は、その後に、式５（又は他の適切な式）に従って対応する集約のＣＱＩを計算するよう、及び、クライアント局２５に、計算された集約のＣＱＩを基地局１４−１へ送り返させるよう構成される。これに対し、いくつかの実施形態において、クライアント局２５のネットワークインタフェース２７は、式５（又は他の適切な式）に従って集約のＣＱＩを計算するよう構成される。ネットワークインタフェース２７は、その後に、クライアント局２５に、式５（又はいくつかの他の適切な式）に従って集約のＣＱＩが計算されたという指標と共に、計算された集約のＣＱＩを、基地局１４−１へ送り返させるよう構成される。
【００９７】
図２は、実施形態による、特定の干渉共分散計算技術を用いてＣＱＩを計算するようクライアントデバイスに促す例示的な方法２００のフロー図である。実施形態において、方法２００は、少なくとも部分的に、基地局１４−１のネットワークインタフェース１６によって実現される。他の複数の実施形態において、方法２００は、他の適切な通信デバイスによって実現される。
【００９８】
ブロック２０４において、干渉共分散計算技術は、干渉共分散を計算するための複数の技術のセットから選択される。選択された干渉共分散計算技術は、基地局１４−１とクライアント局２５との間の通信チャネルに関連するチャネル品質インジケータ（ＣＱＩ）を計算する場合に、クライアント局２５によって利用されることになる。
【００９９】
ブロック２０８において、選択された干渉共分散計算技術の指標がクライアント局２５に送信される。
【０１００】
ブロック２１２において、クライアント局２５によって計算されたＣＱＩは、基地局１４−１で受信される。実施形態において、ブロック２１２で受信されたＣＱＩは、ブロック２０８で送信された指標に応答したものである。実施形態において、ブロック２１２で受信されたＣＱＩは、選択された干渉共分散計算技術に従ってクライアント局２５によって計算されたものである。
【０１０１】
ブロック２１６において、ブロック２１２で受信されたＣＱＩが処理される。実施形態において、ブロック２１６は、ＪＰ、ＣＢ、ＤＰＳ、干渉の緩和等のうち１つ又は複数を実行するためにＣＱＩを用いることを含む。
【０１０２】
図３は、実施形態による、選択された１つ又は複数の干渉共分散計算技術を用いて１つ又は複数のＣＱＩを計算するための例示的な方法３００のフロー図である。実施形態において、方法３００は、少なくとも部分的に、クライアント局２５のネットワークインタフェース２７によって実現される。他の複数の実施形態において、方法３００は、他の適切な通信デバイスによって実現される。
【０１０３】
ブロック３０４において、１つ又は複数の干渉共分散計算技術のどれが利用されるべきかが決定される。実施形態において、１つ又は複数の干渉共分散計算技術のどれが利用されるべきかを決定することは、基地局１４−１から受信された、選択された技術の１つ又は複数の指標を分析することを含む。
【０１０４】
ブロック３０８において、１つ又は複数の干渉共分散は、ブロック３０４で決定された１つ又は複数の技術に従って計算される。ブロック３１２において、１つ又は複数のそれぞれのＣＱＩは、ブロック３０８で計算された１つ又は複数の干渉共分散を用いて計算される。
【０１０５】
ブロック３１６において、ブロック３１２で計算された１つ又は複数のＣＱＩは、基地局１４−１及び／又は１つ又は複数の他の基地局１４に送信される。
【０１０６】
図４は、実施形態による、１つ又は複数のＣＱＩを、選択された１つ又は複数の干渉共分散計算技術を用いて計算するための例示的な方法４００のフロー図である。実施形態において、方法４００は、少なくとも部分的に、クライアント局２５のネットワークインタフェース２７によって実現される。他の複数の実施形態において、方法４００は、他の適切な通信デバイスによって実現される。
【０１０７】
ブロック４０４において、複数の干渉共分散が、複数の干渉共分散計算技術干渉に従って計算される。
【０１０８】
ブロック４０８において、ブロック４０４で計算された１つ又は複数の干渉共分散のサブセットが選択される。実施形態において、選択されたサブセットは、１つ又は複数の最良の干渉共分散シナリオに対応する。例えば、実施形態において、１つ又は複数の最良の干渉共分散シナリオは、他の複数の干渉仮定に比べて、より高いスペクトル効率をもたらす１つ又は複数の干渉仮定のセットに対応する。実施形態において、ブロック４０８において干渉共分散シナリオが１つだけ選択される。ここで、１つの選択された干渉シナリオは、他の複数の干渉仮定に比べて最大のスペクトル効率をもたらす干渉仮定に対応する。
【０１０９】
ブロック４１２において、１つ又は複数のそれぞれのＣＱＩは、ブロック４０８で選択された１つ又は複数の干渉共分散を用いて計算される。
【０１１０】
ブロック４１６において、ブロック４１２で計算された１つ又は複数のＣＱＩは、１つ又は複数のＣＱＩを計算するために利用される１つ又は複数のそれぞれの干渉共分散計算技術の１つ又は複数のそれぞれの指標と共に、基地局１４−１（及び／又は１つ又は複数の他の基地局１４）に送信される。
【０１１１】
図５は、クライアント局から受信されたＣＱＩ及び関連する情報を処理するための例示的な方法５００のフロー図である。実施形態において、方法５００は、少なくとも部分的に、基地局１４−１のネットワークインタフェース１６によって実現される。他の複数の実施形態において、方法５００は、他の適切な通信デバイスによって実現される。
【０１１２】
ブロック５０４において、クライアント局２５によって計算された１つ又は複数のＣＱＩは、基地局１４−１で受信される。
【０１１３】
ブロック５０８において、クライアント局２５によって１つ又は複数のＣＱＩを計算する場合に利用される１つ又は複数のそれぞれの干渉共分散計算技術の１つ又は複数のそれぞれのインジケータは、基地局１４−１で受信される。
【０１１４】
ブロック５１２において、１つ又は複数のＣＱＩを計算する場合にクライアント局２５によって利用される１つ又は複数の干渉共分散計算技術は、ブロック５０８で受信された１つ又は複数のそれぞれのインジケータを用いて決定される。
【０１１５】
ブロック５１６において、ブロック５０４で受信された１つ又は複数のＣＱＩは、１つ又は複数のＣＱＩを計算する場合にクライアント局２５によって利用される１つ又は複数の干渉共分散計算技術の（ブロック５１２における）決定に基づき、処理される。実施形態において、ブロック５１６は、ＣＱＩを用いて、ＪＰ、ＣＢ、ＤＰＳ、干渉の緩和等のうち１つ又は複数を実行することを含む。
【０１１６】
さらに、開示の複数の態様は、下記のうち１つ又は複数に関する。
【０１１７】
一実施形態において、方法は、第１の通信デバイスにおいて、第２の通信デバイスによって第１の通信デバイスと第２の通信デバイスとの間の通信チャネルに関連するチャネル品質インジケータ（ＣＱＩ）を計算する場合に利用されるべき干渉共分散計算技術を選択する段階であって、干渉共分散計算技術が、干渉共分散を計算するための複数の技術のセットから選択される段階と、第１の通信デバイスで、選択された干渉共分散計算技術の指標を第２の通信デバイスに送信する段階と、第１の通信デバイスにおいて、選択された干渉共分散計算技術に従って第２の通信デバイスによって計算されたＣＱＩを受信する段階とを含む。
【０１１８】
他の複数の実施形態において、方法は、下記の複数の特徴のうち１つ又は複数の任意の組み合わせを含む。
【０１１９】
干渉共分散計算技術を選択する段階が、第１の通信デバイスにおいて、干渉共分散を計算する場合に第２の通信デバイスによって利用されるべき式を選択する段階を備える。式は、複数の式のセットから選択される。
【０１２０】
複数の式のセットは、クラスタにおいて干渉者としてみなされるトランスミッタ無しに対応する第１の式と、クラスタにおいて干渉者としてみなされる１つ又は複数のトランスミッタのセットに対応する第２の式とを含む。
【０１２１】
干渉共分散計算技術を選択する段階は、第１の通信デバイスにおいて、干渉共分散を計算する場合に干渉者とみなされる１つ又は複数のトランスミッタのセットを選択する段階を備える。
【０１２２】
方法は、第１の通信デバイスにおいて、第１の通信デバイスと第２の通信デバイスとの間の通信チャネルに関連するＣＱＩを計算する場合に第２の通信デバイスによって利用されるべきＣＱＩ計算技術を選択する段階と、第１の通信デバイスで、選択されたＣＱＩ計算技術の指標を第２の通信デバイスに送信する段階とをさらに備える。ＣＱＩ計算技術は、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩのための複数の技術のセットから選択される。受信された、第２の通信デバイスによって計算されたＣＱＩは、選択されたＣＱＩ計算技術に従う。
【０１２３】
他の実施形態において、第１の通信デバイスは、ネットワークインタフェースデバイス備える。ネットワークインタフェースデバイスは、第２の通信デバイスによって第１の通信デバイスと第２の通信デバイスとの間の通信チャネルに関連するチャネル品質インジケータ（ＣＱＩ）を計算する場合に利用されるべき干渉共分散計算技術を選択し、第１の通信デバイスに、選択された干渉共分散計算技術の指標を第２の通信デバイスへ送信させ、送信された選択された干渉共分散計算技術の指標に応じて第２の通信デバイスから受信したＣＱＩを処理するよう構成される。干渉共分散計算技術が、干渉共分散を計算するための複数の技術のセットから選択される。ＣＱＩは、第２の通信デバイスによって、選択された干渉共分散計算技術に従って計算される。
【０１２４】
他の複数の実施形態において、第１の通信デバイスは、下記の複数の特徴のうち１つ又は複数の任意の組み合わせを備える。
【０１２５】
ネットワークインタフェースデバイスは、干渉共分散を計算する場合に第２の通信デバイスによって利用されるべき式を少なくとも選択することによって、干渉共分散計算技術を選択するよう構成される。式は、複数の式のセットから選択される。
【０１２６】
複数の式のセットは、クラスタにおいて干渉者としてみなされるトランスミッタ無しに対応する第１の式と、クラスタにおいて干渉者としてみなされる１つ又は複数のトランスミッタのセットに対応する第２の式とを含む。
【０１２７】
ネットワークインタフェースデバイスは、干渉共分散を計算する場合に干渉者とみなされる１つ又は複数のトランスミッタのセットを少なくとも選択することによって、干渉共分散計算技術を選択するよう構成される。
【０１２８】
ネットワークインタフェースデバイスは、第１の通信デバイスと第２の通信デバイスとの間の通信チャネルに関連するＣＱＩを計算する場合に第２の通信デバイスによって利用されるべきＣＱＩ計算技術を選択し、第１の通信デバイスに、選択されたＣＱＩ計算技術の指標を第２の通信デバイスへ送信させるよう構成される。ＣＱＩ計算技術は、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩのための複数の技術のセットから選択される。受信された、第２の通信デバイスによって計算されたＣＱＩは、選択されたＣＱＩ計算技術に従う。
【０１２９】
他の実施形態において、方法は、第１の通信デバイスにおいて、複数の干渉共分散計算技術に従って、第１の通信デバイスと第２の通信デバイスとの間の通信チャネルに関連する複数の干渉共分散を計算する段階と、第１の通信デバイスにおいて、複数の干渉共分散における１つ又は複数の干渉共分散のサブセットを選択する段階と、第１の通信デバイスにおいて、１つ又は複数の干渉共分散のサブセットを用いて、１つ又は複数のそれぞれのチャネル品質インジケータ（ＣＱＩ）のセットを計算する段階と、１つ又は複数のＣＱＩのセットを、第１の通信デバイスから第２の通信デバイスに送信する段階と、１つ又は複数のＣＱＩのセットを計算するために利用された１つ又は複数のそれぞれの干渉共分散計算技術の１つ又は複数のインジケータのセットを、第１の通信デバイスから第２の通信デバイスに送信する段階とを含む。
【０１３０】
他の複数の実施形態において、方法は、下記の複数の特徴のうち１つ又は複数の任意の組み合わせを含む。
【０１３１】
複数の干渉共分散計算技術は、クラスタにおいて干渉者としてみなされるトランスミッタ無しに対応する第１の式を利用する第１の干渉共分散計算技術と、記クラスタにおいて干渉者としてみなされる１つ又は複数のトランスミッタのセットに対応する第２の式を利用する第２の干渉共分散計算技術とを備える。
【０１３２】
複数の干渉共分散計算技術は、第３の通信デバイスを干渉者としてみなす第１の干渉共分散計算技術と、第３の通信デバイスを干渉者としてみなさない第２の干渉共分散計算技術とを備える。
【０１３３】
１つ又は複数の干渉共分散のサブセットを用いて、１つ又は複数のそれぞれのＣＱＩのセットを計算する段階は、１つ又は複数のＣＱＩのセットを、選択されたＣＱＩ計算技術に従って計算する段階を備える。選択されたＣＱＩ計算技術は、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩのための複数の技術のセットから選択される。
【０１３４】
方法は、選択されたＣＱＩ計算技術の指標を、第１の通信デバイスから第２の通信デバイスに送信する段階をさらに備える。
【０１３５】
複数の干渉共分散における１つ又は複数の干渉共分散のサブセットを選択する段階は、他の複数の干渉共分散に対応する他の複数の干渉仮定に比べて、より高いスペクトル効率をもたらす１つ又は複数のそれぞれの干渉仮定に対応する１つ又は複数の干渉共分散を選択する段階を備える。
【０１３６】
他の実施形態において、第１の通信デバイスは、ネットワークインタフェースデバイスを備える。ネットワークインタフェースデバイスは、複数の干渉共分散計算技術に従って、第１の通信デバイスと第２の通信デバイスとの間の通信チャネルに関連する複数の干渉共分散を計算し、複数の干渉共分散における１つ又は複数の干渉共分散のサブセットを選択し、１つ又は複数の干渉共分散のサブセットを用いて、１つ又は複数のそれぞれのチャネル品質インジケータ（ＣＱＩ）のセットを計算し、第１の通信デバイスに、１つ又は複数のＣＱＩのセットを第２の通信デバイスへ送信させ、第１の通信デバイスに、１つ又は複数のＣＱＩのセットを計算するために利用された１つ又は複数のそれぞれの干渉共分散計算技術の１つ又は複数のインジケータのセットを、第２の通信デバイスへ送信させるよう構成される。
【０１３７】
他の複数の実施形態において、第１の通信デバイスは、下記の複数の特徴のうち１つ又は複数の任意の組み合わせを備える。
【０１３８】
複数の干渉共分散計算技術は、クラスタにおいて干渉者としてみなされるトランスミッタ無しに対応する第１の式を利用する第１の干渉共分散計算技術と、クラスタにおいて干渉者としてみなされる１つ又は複数のトランスミッタのセットに対応する第２の式を利用する第２の干渉共分散計算技術とを備える。
【０１３９】
複数の干渉共分散計算技術は、第３の通信デバイスを干渉者としてみなす第１の干渉共分散計算技術と、第３の通信デバイスを干渉者としてみなさない第２の干渉共分散計算技術とを備える。
【０１４０】
ネットワークインタフェースデバイスは、少なくとも、選択されたＣＱＩ計算技術に従って１つ又は複数のＣＱＩのセットを計算することによって、１つ又は複数のそれぞれのＣＱＩのセットを計算し、第１の通信デバイスに、選択されたＣＱＩ計算技術の指標を第２の通信デバイスへ送信させるよう構成される。選択されたＣＱＩ計算技術が、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩのための複数の技術のセットから選択される。
【０１４１】
ネットワークインタフェースデバイスは、少なくとも、他の複数の干渉共分散に対応する他の複数の干渉仮定に比べて、より高いスペクトル効率をもたらす１つ又は複数のそれぞれの干渉仮定に対応する１つ又は複数の干渉共分散を選択することによって、複数の干渉共分散における１つ又は複数の干渉共分散のサブセットを選択するよう構成される。
【０１４２】
ネットワークインタフェースデバイスは、少なくとも、他の複数の干渉共分散に対応する他の複数の干渉仮定に比べて最大のスペクトル効率に対応する干渉共分散を選択することによって、複数の干渉共分散における１つ又は複数の干渉共分散のサブセットを選択するよう構成される。
【０１４３】
他の実施形態において、方法は、第１の通信デバイスにおいて、第２の通信デバイスから、選択された干渉共分散計算技術の指標を受信する段階であって、選択された干渉共分散計算技術が、第２の通信デバイスによって、干渉共分散を計算するための複数の技術のセットから選択されている段階と、第１の通信デバイスにおいて、受信された指標に基づいて干渉共分散を計算する場合に干渉共分散を計算するための複数の技術のセットからのどの干渉共分散計算技術を用いるかを決定する段階であって、干渉共分散が、第１の通信デバイスと第２の通信デバイスとの間の通信チャネルに関連する段階と、第１の通信デバイスにおいて、決定された干渉共分散計算技術を用いて、干渉共分散を計算する段階と、第１の通信デバイスにおいて、計算された干渉共分散を用いて、チャネル品質インジケータ（ＣＱＩ）を計算する段階であって、ＣＱＩが、第１の通信デバイスと第２の通信デバイスとの間の通信チャネルに関連する段階と、第１の通信デバイスで、ＣＱＩを第２の通信デバイスに送信する段階とを含む。
【０１４４】
他の複数の実施形態において、方法は、下記の複数の特徴のうち１つ又は複数の任意の組み合わせを含む。
【０１４５】
どの干渉共分散計算技術を用いるかを決定する段階は、第１の通信デバイスにおいて、受信された指標に基づいて複数の式の選択肢のセットからの利用されるべき式を決定する段階を備える。
【０１４６】
複数の式の選択肢のセットは、クラスタにおいて干渉者としてみなされるトランスミッタ無しに対応する第１の式と、クラスタにおいて干渉者としてみなされる１つ又は複数のトランスミッタのセットに対応する第２の式とを含む。
【０１４７】
どの干渉共分散計算技術を用いるかを決定する段階は、第１の通信デバイスにおいて、干渉共分散を計算する場合に干渉者とみなされる１つ又は複数のトランスミッタのセットを決定する段階を備える。
【０１４８】
方法は、第１の通信デバイスで、ＣＱＩを計算する場合に第１の通信デバイスによって利用されるべき選択されたＣＱＩ計算技術の指標を受信する段階をさらに備える。ＣＱＩ計算技術が、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩのための複数の技術のセットから、第２の通信デバイスによって選択されている。ＣＱＩを計算する段階は、選択されたＣＱＩ計算技術を用いてＣＱＩを計算する段階を備える。
【０１４９】
他の実施形態において、第１の通信デバイスは、ネットワークインタフェースデバイスを備える。ネットワークインタフェースデバイスは、第２の通信デバイスから受信された、選択された干渉共分散計算技術の指標に基づいて、干渉共分散を計算する場合に干渉共分散を計算するための複数の技術のセットからのどの干渉共分散計算技術を用いるかを決定し、決定された干渉共分散計算技術を用いて、干渉共分散を計算し、計算された干渉共分散を用いて、チャネル品質インジケータ（ＣＱＩ）を計算し、第１の通信デバイスに、ＣＱＩを第２の通信デバイスへ送信させるよう構成される。選択された干渉共分散計算技術が、第２の通信デバイスによって、干渉共分散を計算するための複数の技術のセットから選択されている。干渉共分散が、第１の通信デバイスと第２の通信デバイスとの間の通信チャネルに関連する。ＣＱＩが、第１の通信デバイスと第２の通信デバイスとの間の通信チャネルに関連する。
【０１５０】
他の複数の実施形態において、第１の通信デバイスは、下記の複数の特徴のうち１つ又は複数の任意の組み合わせを備える。
【０１５１】
ネットワークインタフェースデバイスは、少なくとも、受信された指標に基づいて複数の式の選択肢のセットからの利用されるべき式を決定することによって、どの干渉共分散計算技術を用いるかを決定するよう構成される。
【０１５２】
複数の式の選択肢のセットは、クラスタにおいて干渉者としてみなされるトランスミッタ無しに対応する第１の式と、クラスタにおいて干渉者としてみなされる１つ又は複数のトランスミッタのセットに対応する第２の式とを含む。
【０１５３】
ネットワークインタフェースデバイスは、少なくとも、干渉共分散を計算する場合に干渉者とみなされる１つ又は複数のトランスミッタのセットを決定することによって、どの干渉共分散計算技術を用いるかを決定するよう構成される。
【０１５４】
ネットワークインタフェースデバイスは、選択されたＣＱＩ計算技術の受信された指標に基づいて、用いるＣＱＩ計算技術を決定し、決定されたＣＱＩ計算技術を用いてＣＱＩを計算するよう構成される。選択されたＣＱＩ計算技術が、（ｉ）単一のトランスミッタについてのＣＱＩを計算することに関連する第１のＣＱＩ計算技術と、（ｉｉ）複数のトランスミッタについて集約されたＣＱＩを計算することに関連する第２のＣＱＩ計算技術を含む、ＣＱＩの計算のための複数の技術のセットから、第２の通信デバイスによって選択されている。
【０１５５】
他の実施形態において、方法は、第１の通信デバイスにおいて、第２の通信デバイスから送信されたチャネル品質インジケータ（ＣＱＩ）を受信する段階であって、ＣＱＩが、第２の通信デバイスによって計算されており、ＣＱＩが、第１の通信デバイスと第２の通信デバイスとの間の通信チャネルに関連する段階と、第１の通信デバイスにおいて、第２の通信デバイスから送信された、ＣＱＩを計算するために第２の通信デバイスによって利用された干渉共分散計算技術の指標を受信する段階と、第１の通信デバイスにおいて、受信された干渉共分散計算技術の指標に基づいて、複数の干渉共分散計算技術の選択肢からのどの干渉共分散計算技術が第２の通信デバイスによって利用されたかを決定する段階と、第１の通信デバイスにおいて、第２の通信デバイスによって利用された干渉共分散計算技術の決定に基づいて、ＣＱＩを処理する段階とを含む。
【０１５６】
他の複数の実施形態において、方法は、下記の複数の特徴のうち１つ又は複数の任意の組み合わせを含む。
【０１５７】
どの干渉共分散計算技術が利用されたかを決定する段階は、複数の式の選択肢のセットから、第２の通信デバイスによってどの式が利用されたかを決定する段階を備える。
【０１５８】
複数の式の選択肢のセットは、クラスタにおいて干渉者としてみなされるトランスミッタ無しに対応する第１の式と、クラスタにおいて干渉者としてみなされる１つ又は複数のトランスミッタのセットに対応する第２の式とを含む。
【０１５９】
どの干渉共分散計算技術が利用されたかを決定する段階は、第１の通信デバイスにおいて、干渉共分散を計算する場合に干渉者とみなされる１つ又は複数のトランスミッタのセットを決定する段階を備える。
【０１６０】
他の実施形態において、第１の通信デバイスは、ネットワークインタフェースデバイスを備える。ネットワークインタフェースデバイスは、第２の通信デバイスから送信されたチャネル品質インジケータ（ＣＱＩ）を受信し、第２の通信デバイスから送信された、ＣＱＩを計算するために第２の通信デバイスによって利用された干渉共分散計算技術の指標を受信し、受信された干渉共分散計算技術の指標に基づいて、複数の干渉共分散計算技術の選択肢からのどの干渉共分散計算技術が第２の通信デバイスによって利用されたかを決定し、第２の通信デバイスによって利用された干渉共分散計算技術の決定に基づいて、ＣＱＩを処理するよう構成される。ＣＱＩが、第２の通信デバイスによって計算されている。ＣＱＩが、第１の通信デバイスと第２の通信デバイスとの間の通信チャネルに関連する。
【０１６１】
他の複数の実施形態において、第１の通信デバイスは、下記の複数の特徴のうち１つ又は複数の任意の組み合わせを含む。
【０１６２】
ネットワークインタフェースデバイスは、少なくとも、複数の式の選択肢のセットから、第２の通信デバイスによってどの式が利用されたかを決定することによって、どの干渉共分散計算技術が利用されたかを決定するよう構成される。
【０１６３】
複数の式の選択肢のセットは、クラスタにおいて干渉者としてみなされるトランスミッタ無しに対応する第１の式と、クラスタにおいて干渉者としてみなされる１つ又は複数のトランスミッタのセットに対応する第２の式とを含む。
【０１６４】
ネットワークインタフェースデバイスは、少なくとも、干渉共分散を計算する場合に干渉者とみなされる１つ又は複数のトランスミッタのセットを決定することによって、どの干渉共分散計算技術が利用されたかを決定するよう構成される。
【０１６５】
上述した様々なブロック、オペレーション及び技術のうち少なくともいくつかは、ハードウェア、複数のファームウェア命令を実行するプロセッサ、複数のソフトウェア命令を実行するプロセッサ、又はそれらの任意の組み合わせを利用して実装されてよい。複数のソフトウェア又は複数のファームウェア命令を実行するプロセッサを利用して実装される場合、ソフトウェア又はファームウェア命令は、磁気ディスク、光ディスク、ランダムアクセスメモリ、リードオンリメモリ、フラッシュメモリ等のような任意の実体的な非一時的コンピュータ可読メモリに格納されてよい。ソフトウェア又はファームウェア命令は、プロセッサによって実行された場合に、様々な動作をプロセッサに実行させる機械可読命令を含んでよい。
【０１６６】
ハードウェアに実装された場合、ハードウェアは、の１つ又は複数の別個のコンポーネント、集積回路、特定用途向け集積回路（ＡＳＩＣ）、プログラマブル論理デバイス等を備えてよい。
【０１６７】
特定の複数の例を参照して様々な実施形態が記述されたが、これらは単に例示的であることを意図しておりかつこれらに限定されず、複数の変更、複数の追加及び／又は複数の削除が、特許請求の範囲から逸脱することなく、開示された実施形態に対してなされ得る。
【図１Ａ】
0006260799.tif 000007
【図１Ｂ】
0006260799.tif 000008
【図１Ｃ】
0006260799.tif 000009
【図２】
0006260799.tif 000010
【図３】
0006260799.tif 000011
【図４】
0006260799.tif 000012
【図５】
0006260799.tif 000013